(57)【特許請求の範囲】
【請求項１】
端末は、基地局が指示したチャネル状態情報ＣＳＩフィードバック設定グループ及び前記ＣＳＩフィードバック設定グループに基づいてＣＳＩフィードバックを行う設定情報を受信するステップと、
前記端末は、前記ＣＳＩフィードバック設定グループ及び前記設定情報に基づいて、ＣＳＩ測定及びフィードバックを行うステップとを備え、
前記ＣＳＩフィードバック設定グループには少なくとも１つのＣＳＩフィードバック設定が含まれ、前記ＣＳＩフィードバック設定は、ダウンリンクＣＳＩ測定及びフィードバックのためのダウンリンク信号の設定であり、
前記設定情報には、ＣＳＩフィードバック方式指示情報が含まれ、前記ＣＳＩフィードバック方式指示情報は、端末が前記ＣＳＩフィードバック設定グループ中の最適のＣＳＩフィードバック設定の位置情報及び対応のＣＳＩをフィードバックするかを判断するのに用いられる
ことを特徴とするＦＤ ＭＩＭＯシステムチャネル状態情報のフィードバック方法。
【請求項２】
前記ＣＳＩフィードバック設定は、ＣＳＩプロセス、ＮＺＰのＣＳＩ測定パイロットリソース設定、または、干渉測定リソース設定である
ことを特徴とする請求項１に記載のＦＤ ＭＩＭＯシステムチャネル状態情報のフィードバック方法。
【請求項３】
前記設定情報には、以下のいずれか１つまたは任意の組み合わせが含まれる：
伝送方式指示情報、前記伝送方式は、ビームフォーミングＣＳＩ測定パイロット伝送方式、または、非プリコーディングＣＳＩ測定パイロット伝送方式であり、
物理アップリンク制御チャネル（ＰＵＣＣＨ）によりフィードバックするダウンリンクチャネル情報内容の指示情報、
物理アップリンク共有チャネル（ＰＵＳＣＨ）によりフィードバックするダウンリンクチャネル情報内容の指示情報、
ＣＳＩ計算に用いられるコードブックのコードブック指示情報、
コードブックサブ集合制約指示、ＣＳＩ計算に用いられる約定されたコードブックにおける目下に利用可能のコードワードを示す
ことを特徴とする請求項１に記載のＦＤ ＭＩＭＯシステムチャネル状態情報のフィードバック方法。
【請求項４】
前記ＰＵＣＣＨによりフィードバックするダウンリンクチャネル情報内容の指示情報は、
ＰＵＣＣＨにより、前記ＣＳＩフィードバック設定グループ中の最適のＣＳＩフィードバック設定の位置情報及び対応のＣＳＩをフィードバックする第１指示情報、または、
前記ＰＵＣＣＨにより、前記ＣＳＩフィードバック設定グループ中の前記基地局により指定されたＣＳＩフィードバック設定の位置情報及び対応のＣＳＩをフィードバックする第２指示情報、または、
前記ＰＵＣＣＨにより、前記ＣＳＩフィードバック設定グループ中の各々ＣＳＩフィードバック設定の位置情報及び対応のＣＳＩをフィードバックする第３指示情報である
ことを特徴とする請求項３に記載のＦＤ ＭＩＭＯシステムチャネル状態情報のフィードバック方法。
【請求項５】
前記ＰＵＳＣＨによりフィードバックするダウンリンクチャネル情報内容の指示情報は、
ＰＵＳＣＨにより、前記ＣＳＩフィードバック設定グループ中の最適のＣＳＩフィードバック設定の位置情報及び対応のＰＵＳＣＨのＣＳＩをフィードバック第１指示情報、または、
ＰＵＳＣＨにより、前記ＣＳＩフィードバック設定グループ中の最適のＣＳＩフィードバック設定の位置情報をフィードバックする第２指示情報、または、
ＰＵＳＣＨにより、最新の報告された位置情報に対応するＣＳＩフィードバック設定グループ中の前記ＣＳＩフィードバック設定に対応するＣＳＩをフィードバックする第３指示情報、または、
ＰＵＳＣＨにより、前記ＣＳＩフィードバック設定グループ中の前記基地局により指定されたＣＳＩフィードバック設定に対応するＣＳＩをフィードバックする第４指示情報、または、
ＰＵＳＣＨにより、前記ＣＳＩフィードバック設定グループ中の各々ＣＳＩフィードバック設定のＣＳＩをフィードバックする第５指示情報である
ことを特徴とする請求項３に記載のＦＤ ＭＩＭＯシステムチャネル状態情報のフィードバック方法。
【請求項６】
前記設定情報に前記伝送方式指示情報が含まれば、前記端末が前記設定情報に基づいてＣＳＩを報告することは、 
前記端末は、前記伝送方式指示情報により示されたのがビームフォーミングＣＳＩ測定パイロット伝送方式であると判断すれば、前記ＣＳＩフィードバック設定グループ中の最適のＣＳＩフィードバック設定の位置情報及び対応のＣＳＩを報告し、
前記端末は、前記伝送方式指示情報に示されたのが非プリコーディングＣＳＩ測定パイロット伝送方式であると判断すれば、前記ＣＳＩフィードバック設定グループ中の各々ＣＳＩフィードバック設定に対応するＣＳＩを報告し、
前記端末が、基地局が指示したチャネル状態情報ＣＳＩフィードバック設定グループ及び前記ＣＳＩフィードバック設定グループに基づいてＣＳＩフィードバックを行う設定情報を受信することは、
前記設定情報に前記伝送方式指示情報が含まれば、前記端末は、前記伝送方式指示情報により示された伝送方式に対応するＣＳＩフィードバック設定の数を決定し、前記数に基づいて、前記基地局により指示された前記ＣＳＩフィードバック設定の指示情報を受信し、
前記設定情報にＣＳＩフィードバック方式指示情報が含まれば、前記端末が前記設定情報に基づいてＣＳＩを報告することは、
前記端末は、前記ＣＳＩフィードバック方式指示情報に基づいて、各々ＣＳＩフィードバック設定に対応するＣＳＩを報告し、または、前記ＣＳＩフィードバック方式指示情報に基づいて、最適のＣＳＩフィードバック設定の位置情報及び対応のＣＳＩを報告する
ことを特徴とする請求項３に記載のＦＤ ＭＩＭＯシステムチャネル状態情報のフィードバック方法。
【請求項７】
基地局は、端末にチャネル状態情報ＣＳＩフィードバック設定グループ及び前記ＣＳＩフィードバック設定グループに基づいてＣＳＩフィードバックを行う設定情報を送信し、
前記基地局は、前記端末が前記ＣＳＩフィードバック設定グループ及び前記設定情報に基づいてフィードバックした情報を受信し、
前記ＣＳＩフィードバック設定グループには少なくとも１つのＣＳＩフィードバック設定が含まれ、前記ＣＳＩフィードバック設定は、ダウンリンクＣＳＩ測定及びフィードバックのためのダウンリンク信号の設定であり、
前記設定情報には、ＣＳＩフィードバック方式指示情報が含まれ、前記ＣＳＩフィードバック方式指示情報は、前記ＣＳＩフィードバック設定グループ中の最適のＣＳＩフィードバック設定の位置情報及び対応のＣＳＩをフィードバックするかを示すためのものである
ことを特徴とするＦＤ ＭＩＭＯシステムチャネル状態情報の取得方法。
【請求項８】
前記設定情報には、以下のいずれか１つまたは任意の組み合わせが含まれる：
伝送方式指示情報、前記伝送方式は、ビームフォーミングＣＳＩ測定パイロット伝送方式、または、非プリコーディングＣＳＩ測定パイロット伝送方式であり、
物理アップリンク制御チャネル（ＰＵＣＣＨ）によりフィードバックするダウンリンク
チャネル情報内容の指示情報、
物理アップリンク共有チャネル（ＰＵＳＣＨ）によりフィードバックするダウンリンクチャネル情報内容の指示情報、
ＣＳＩ計算に用いられるコードブックのコードブック指示情報、
コードブックサブ集合制約指示、ＣＳＩ計算に用いられる約定されたコードブックにおける目下に利用可能のコードワードを示す
ことを特徴とする請求項７に記載のＦＤ ＭＩＭＯシステムチャネル状態情報の取得方法。
【請求項９】
基地局により指示されたチャネル状態情報ＣＳＩフィードバック設定グループ及び前記ＣＳＩフィードバック設定グループに基づいてＣＳＩフィードバックを行う設定情報を受信する受信モジュールと、
前記ＣＳＩフィードバック設定グループ及び前記設定情報に基づいてＣＳＩ測定及びフィードバックを行う処理モジュールとを備え、
前記ＣＳＩフィードバック設定グループには少なくとも１つのＣＳＩフィードバック設定が含まれ、前記ＣＳＩフィードバック設定は、ダウンリンクＣＳＩ測定及びフィードバックのためのダウンリンク信号の設定であり、
前記設定情報には、ＣＳＩフィードバック方式指示情報が含まれ、前記ＣＳＩフィードバック方式指示情報に基づき、前記ＣＳＩフィードバック設定グループ中の最適のＣＳＩフィードバック設定の位置情報及び対応のＣＳＩをフィードバックするかを判断するのに用いられる
ことを特徴とする端末。
【請求項１０】
前記設定情報には、以下のいずれか１つまたは任意の組み合わせが含まれる：
伝送方式指示情報、前記伝送方式は、ビームフォーミングＣＳＩ測定パイロット伝送方式、または、非プリコーディングＣＳＩ測定パイロット伝送方式であり、
物理アップリンク制御チャネル（ＰＵＣＣＨ）によりフィードバックするダウンリンクチャネル情報内容の指示情報、
物理アップリンク共有チャネル（ＰＵＳＣＨ）によりフィードバックするダウンリンクチャネル情報内容の指示情報、
ＣＳＩ計算に用いられるコードブックのコードブック指示情報、
コードブックサブ集合制約指示、ＣＳＩ計算に用いられる約定されたコードブックにおける目下に利用可能のコードワードを示す
ことを特徴とする請求項９に記載の端末。
【請求項１１】
前記ＰＵＣＣＨによりフィードバックするダウンリンクチャネル情報内容の指示情報は、
ＰＵＣＣＨにより、前記ＣＳＩフィードバック設定グループ中の最適のＣＳＩフィードバック設定の位置情報及び対応のＣＳＩをフィードバックする第１指示情報、または、
前記ＰＵＣＣＨにより、前記ＣＳＩフィードバック設定グループ中の前記基地局により指定されたＣＳＩフィードバック設定の位置情報及び対応のＣＳＩをフィードバックする第２指示情報、または、
前記ＰＵＣＣＨにより、前記ＣＳＩフィードバック設定グループ中の各々ＣＳＩフィードバック設定の位置情報及び対応のＣＳＩをフィードバックする第３指示情報である
ことを特徴とする請求項１０に記載の端末。
【請求項１２】
前記ＰＵＳＣＨによりフィードバックするダウンリンクチャネル情報内容の指示情報は、
ＰＵＳＣＨにより、前記ＣＳＩフィードバック設定グループ中の最適のＣＳＩフィードバック設定の位置情報及び対応のＰＵＳＣＨのＣＳＩをフィードバック第１指示情報、または、
ＰＵＳＣＨにより、前記ＣＳＩフィードバック設定グループ中の最適のＣＳＩフィードバック設定の位置情報をフィードバックする第２指示情報、または、
ＰＵＳＣＨにより、最新の報告された位置情報に対応するＣＳＩフィードバック設定グループ中の前記ＣＳＩフィードバック設定に対応するＣＳＩをフィードバックする第３指示情報、または、
ＰＵＳＣＨにより、前記ＣＳＩフィードバック設定グループ中の前記基地局により指定されたＣＳＩフィードバック設定に対応するＣＳＩをフィードバックする第４指示情報、または、
ＰＵＳＣＨにより、前記ＣＳＩフィードバック設定グループ中の各々ＣＳＩフィードバック設定のＣＳＩをフィードバックする第５指示情報である
ことを特徴とする請求項１０に記載の端末。
【請求項１３】
前記処理モジュールは、
前記設定情報に前記伝送方式指示情報が含まれ、かつ、前記伝送方式指示情報により示されたのがビームフォーミングＣＳＩ測定パイロット伝送方式であると判断すれば、前記ＣＳＩフィードバック設定グループ中の最適のＣＳＩフィードバック設定の位置情報及び対応のＣＳＩを報告し、
前記設定情報に前記伝送方式指示情報が含まれ、かつ、前記伝送方式指示情報により示されたのがビームフォーミングＣＳＩ測定パイロット伝送方式であると判断すれば、前記ＣＳＩフィードバック設定グループ中の各々ＣＳＩフィードバック設定に対応するＣＳＩを報告し、
または、
前記受信モジュールは、前記設定情報に前記伝送方式指示情報が含まれば、前記伝送方式指示情報により示された伝送方式に対応するＣＳＩフィードバック設定の数を決定し、前記数に基づいて、前記基地局により指示された前記ＣＳＩフィードバック設定の指示情報を受信し、
前記処理モジュールは、前記設定情報にＣＳＩフィードバック方式指示情報が含まれば、前記ＣＳＩフィードバック方式指示情報に基づいて各々ＣＳＩフィードバック設定に対応するＣＳＩを報告し、または、前記ＣＳＩフィードバック方式指示情報に基づいて、最適のＣＳＩフィードバック設定の位置情報及び対応のＣＳＩを報告する
ことを特徴とする請求項１０に記載の端末。
【請求項１４】
端末にチャネル状態情報ＣＳＩフィードバック設定グループ及び前記ＣＳＩフィードバック設定グループに基づいてＣＳＩフィードバックを行う設定情報を送信する送信モジュールと、
前記端末が前記ＣＳＩフィードバック設定グループ及び前記設定情報に基づいてフィードバックした情報を受信する受信モジュールとを備え、
前記ＣＳＩフィードバック設定グループには少なくとも１つのＣＳＩフィードバック設定が含まれ、前記ＣＳＩフィードバック設定は、ダウンリンクＣＳＩ測定及びフィードバックのためのダウンリンク信号の設定であり、
前記設定情報には、ＣＳＩフィードバック方式指示情報が含まれ、前記ＣＳＩフィードバック方式指示情報は、前記ＣＳＩフィードバック設定グループ中の最適のＣＳＩフィードバック設定の位置情報及び対応のＣＳＩをフィードバックするかを示すためのものである
ことを特徴とする基地局。
【発明の詳細な説明】
【技術分野】
【０００１】
本発明は通信技術分野に関し、特に、ＦＤ ＭＩＭＯ（Ｆｕｌｌ−Ｄｉｍｅｎｓｉｏｎ Ｍｕｌｔｉｐｌｅ Ｉｎｐｕｔ Ｍｕｌｔｉｐｌｅ Ｏｕｔｐｕｔ）システムチャネル状態情報のフィードバック方法及び関連装置に関する。
【背景技術】
【０００２】
従来のセルラーシステムにおいて、基地局のアンテナアレイは一般に水平に配列され図１に示すのは、水平に配列されているデュアル極性アンテナ（ｄｕａｌ-ｐｏｌａｒｉｚｅｄ ａｎｔｅｎｎａ）であり、図２に示すのは、水平に配列されているアレイアンテナである。基地局のアンテナアレイの水平配列のため、基地局における発信端からのビームは、垂直方向に固定の下傾き角度を有し、水平方向調整しかできず、なので、従来各種のビームフォーミング/プリコーディング技術等は、全部水平方向のチャネル情報である。実に、無線信号の空間での伝送が３次元伝送であるため、垂直方向のビームに固定下傾き角度を用いる方法は、システム性能の最適化を達成できない。垂直方向のビーム調整は、セル間の干渉の低減、システム性能の向上に重大の意味を持つ。
【０００３】
アンテナ技術の発展と伴い、それぞれのアレイ・エレメントを独立に制御できるアクティ ブ・アンテナがすてに業界に現され、垂直方向上のビームの動的な調整が可能となり、図３に示すのは、水平及び垂直方向に配列されたデュアル極性アンテナであり、図４に示すのは、水平及び垂直方向に配列されたアレイアンテナである。本発明は、水平及び垂直方向に配列されたアンテナアレイ場合のＭＩＭＯ技術をＦＤ ＭＩＭＯと記載し、３Ｄ ＭＩＭＯとも称される。
【０００４】
図３及び図４に示す３次元アンテナアレイの場合、基地局の送信信号は、端末（ＵＥ）に対する水平方向のビームフォーミングに用いられるだけではなく、端末（ＵＥ）に対する垂直方向のビームフォーミングに用いることもできる。垂直方向のビームがＵＥに指向するように、基地局が垂直方向のフォーミングベクトルを決定して、最大フォーミング利得を取得するために、一般にＵＥは、垂直方向のチャネル状態情報（Ｃｈａｎｎｅｌ Ｓｔａｔｅ Ｉｎｆｏｒｍａｔｉｏｎ，ＣＳＩ）をフィードバックする必要がある。
【０００５】
ＵＥが垂直方向のＣＳＩをフィードバックするのによく採用される実施方式、即ち、ビームフォーミングＣＳＩ測定パイロットの伝送方式は、ＣＳＩリファレンス信号（Ｃｈａｎｎｅｌ Ｓｔａｔｅ Ｉｎｆｏｒｍａｔｉｏｎ Ｒｅｆｅｒｅｎｃｅ Ｓｉｇｎａｌ，ＣＳＩ−ＲＳ）の伝送方式を例とすれば、ＵＥのために複数のＣＳＩ−ＲＳリソースを割り当て、異なるＣＳＩ−ＲＳリソースにおいて異なる垂直ビームフォーミングベクトルを利用し、そして、ＵＥは、そのうちの最適のＣＳＩ−ＲＳに基づいて、ＣＳＩフィードバックにより、基地局に当該最適のＣＳＩ−ＲＳの位置情報情報を知らせ、こうして、基地局は最適の垂直フォーミングベクトルで垂直フォーミングを行うことができるようになる。一般に、ＣＳＩは、ＲＩ（Ｒａｎｋ Ｉｎｄｉｃａｔｉｏｎ）、ＰＭＩ（Ｐｒｅｃｏｄｉｎｇ Ｍａｔｒｉｘ Ｉｎｄｉｃａｔｏｒ）及びＣＱＩ（Ｃｈａｎｎｅｌ Ｑｕａｌｉｔｙ Ｉｎｄｉｃａｔｉｏｎ）を含む。実施する場合、ＵＥは最適の複数のＣＳＩ−ＲＳリソースに対応する位置情報及びＣＳＩを報告して、基地局が１つまたは複数の異なる垂直ビームを選出してダウンリンクデータ伝送に用いられるようにする。このような実施方式において、ＣＳＩ−ＲＳリソースのポート数は、アンテナエレメントの総数より低く、水平次元のアンテナエレメント数と一致し、具体的に図５にしめすとおりである。
【０００６】
ＵＥが垂直及び水平２次元のＣＳＩをフィードバックする方式、即ち、非プリコーディングＣＳＩ−ＲＳ伝送方式は、より多いＣＳＩ−ＲＳリソースポートを配備し、一部のＣＳＩ−ＲＳリソースポートを水平アンテナエレメントにマッピングし、他の一部のＣＳＩ−ＲＳリソースポートを垂直アンテナエレメントにマッピングする。ＣＳＩ−ＲＳ信号は、水平垂直２次元から発送され、ＵＥは、ＣＳＩ−ＲＳにより、２次元のＣＳＩを同時に取得することができ、ダウンリンクのＣＳＩフィードバックを行うことができるようになる。当該方式に、より多いＣＳＩ−ＲＳリソースポートが必要となり、また、ＵＥがフィードバックする場合、基本的に従来のＣＳＩフィードバック方式を再利用することができ、ＣＳＩ−ＲＳリソースにより、直ちに測定及びフィードバックすればよく、各次元のＣＳＩそれぞれをフィードバックする必要がない。
【０００７】
ＬＴＥ（Ｌｏｎｇ Ｔｅｒｍ Ｅｖｏｌｕｔｉｏｎ）システムにおいて、ＣｏＭＰ（Ｃｏｏｐｅｒａｔｉｖｅ Ｍｕｌｔｉｐｌｅ Ｐｏｉｎｔ Ｔｒａｎｓｍｉｓｓｉｏｎ）をサポートするため、ＣＳＩプロセス概念が導入された。それぞれのＣＳＩプロセスは、１つのダウンリンク伝送ポイントに対応することができ、１つのＮＺＰ（Ｎｏｎ−Ｚｅｒｏ Ｐｏｗｅｒ）ＣＳＩ−ＲＳ及び１つの干渉測定リソース（ｉｎｔｅｒｆｅｒｅｎｃｅ ｍｅａｓｕｒｅｍｅｎｔ ｒｅｓｏｕｒｃｅ，ＩＭＲ)より構成される。ＵＥは、そのうちのＮＺＰ ＣＳＩ−ＲＳにより、チャネル測定を行い、かつ、対応のＩＭＲで干渉測定を行って、ＣＳＩプロセスの対応ＣＳＩを取得してフィードバックする。ＬＴＥ ＵＥごとにＣＳＩフィードバックのために、最大３つＣＳＩプロセスを設定することができる。ＵＥのＣＳＩフィードバックは、周期的なＰＵＣＣＨフィードバック、または、非周期的なＰＵＳＣＨフィードバックを利用することができる。周期的なＣＳＩフィードバックにおいて、基地局は、周期的なＰＵＣＣＨリソースを割り当て、ＵＥは、割り当てられたリソースにおいて、対応のＣＳＩを周期的に報告する。非周期的なＣＳＩフィードバックの場合、基地局は、ＤＣＩにより、ＣＳＩをフィードバックするように、ＵＥをトリガーする。ＵＥは、トリガーされたサブフレームに対応するアップリンクサブフレームにおけるＰＵＳＣＨにおいて、ＣＳＩをフィードバックする。非周期的なフィードバックの場合、基地局は、あるＣＳＩプロセス集合中の各々ＣＳＩプロセスに対応するＣＳＩを報告するように、ＵＥをトリガーする。
【０００８】
目下、ＦＤ ＭＩＭＯシステムにおいて、ＣＳＩプロセスにより、ＣＳＩのみをフィードバックし、フィードバック法方式として、柔軟性に乏しく、ＣＳＩ測定後に多用なＣＳＩ関連情報をフィードバックするシナリオをサポートすることができず、たとえば、ビームフォーミングＣＳＩ測定パイロット（ＣＳＩ−ＲＳ）伝送方式及び非プリコーディングＣＳＩ−ＲＳ伝送方式場合のＣＳＩフィードバックをサポートすることができない。
【発明の概要】
【発明が解決しようとする課題】
【０００９】
本発明に係る実施例は、ＦＤ ＭＩＭＯシステムチャネル状態情報のフィードバック方法及び関連装置を提供し、ＦＤ ＭＩＭＯシステムにおいて、ＣＳＩ測定後に多様のＣＳＩ関連情報をフィードバックするシナリオをサポートすることができる。
【課題を解決するための手段】
【００１０】
本発明に係る実施例の技術案は以下のとおりである。
【００１１】
第１態様によれば、ＦＤ ＭＩＭＯシステムチャネル状態情報のフィードバック方法は、
端末は、基地局が指示したチャネル状態情報ＣＳＩフィードバック設定グループ及び前記ＣＳＩフィードバック設定グループに基づいてＣＳＩフィードバックを行う設定情報を受信するステップと、
前記端末は、前記ＣＳＩフィードバック設定グループ及び前記設定情報に基づいて、ＣＳＩ測定及びフィードバックを行うステップとを備え、
前記ＣＳＩフィードバック設定グループには少なくとも１つのＣＳＩフィードバック設定が含まれ、前記ＣＳＩフィードバック設定は、ダウンリンクＣＳＩ測定及びフィードバックのためのダウンリンク信号の設定である。
【００１２】
前記ＣＳＩフィードバック設定は、ＣＳＩプロセス、ＮＺＰのＣＳＩ測定パイロットリソース設定、または、干渉測定リソース設定である。
【００１３】
前記設定情報には、以下のいずれか１つまたは任意の組み合わせが含まれる：
伝送方式指示情報、前記伝送方式は、ビームフォーミングＣＳＩ測定パイロット伝送方式、または、非プリコーディングＣＳＩ測定パイロット伝送方式であり、
ＣＳＩフィードバック方式指示情報、前記ＣＳＩフィードバック方式は、前記ＣＳＩフィードバック設定グループ中のＣＳＩフィードバック設定に対応する全部のＣＳＩをフィードバックするか、または、前記ＣＳＩフィードバック設定グループ中の最適のＣＳＩフィードバック設定の位置情報及び対応のＣＳＩをフィードバックし、
物理アップリンク制御チャネル（ＰＵＣＣＨ）によりフィードバックするダウンリンクチャネル情報内容の指示情報、
物理アップリンク共有チャネル（ＰＵＳＣＨ）によりフィードバックするダウンリンクチャネル情報内容の指示情報、
ＣＳＩ計算に用いられるコードブックのコードブック指示情報、
コードブックサブ集合制約指示、ＣＳＩ計算に用いられる約定されたコードブックにおける目下に利用可能のコードワードを示す。
【００１４】
前記ＰＵＣＣＨによりフィードバックするダウンリンクチャネル情報内容の指示情報は、
ＰＵＣＣＨにより、前記ＣＳＩフィードバック設定グループ中の最適のＣＳＩフィードバック設定の位置情報及び対応のＣＳＩをフィードバックする第１指示情報、または、
前記ＰＵＣＣＨにより、前記ＣＳＩフィードバック設定グループ中の前記基地局により指定されたＣＳＩフィードバック設定の位置情報及び対応のＣＳＩをフィードバックする第２指示情報、または、
前記ＰＵＣＣＨにより、前記ＣＳＩフィードバック設定グループ中の各々ＣＳＩフィードバック設定の位置情報及び対応のＣＳＩをフィードバックする第３指示情報である。
【００１５】
前記ＰＵＳＣＨによりフィードバックするダウンリンクチャネル情報内容の指示情報は、
ＰＵＳＣＨにより、前記ＣＳＩフィードバック設定グループ中の最適のＣＳＩフィードバック設定の位置情報及び対応のＰＵＳＣＨのＣＳＩをフィードバック第１指示情報、または、
ＰＵＳＣＨにより、前記ＣＳＩフィードバック設定グループ中の最適のＣＳＩフィードバック設定の位置情報をフィードバックする第２指示情報、または、
ＰＵＳＣＨにより、最新の報告された位置情報に対応するＣＳＩフィードバック設定グループ中の前記ＣＳＩフィードバック設定に対応するＣＳＩをフィードバックする第３指示情報、または、
ＰＵＳＣＨにより、前記ＣＳＩフィードバック設定グループ中の前記基地局により指定されたＣＳＩフィードバック設定に対応するＣＳＩをフィードバックする第４指示情報、または、
ＰＵＳＣＨにより、前記ＣＳＩフィードバック設定グループ中の各々ＣＳＩフィードバック設定のＣＳＩをフィードバックする第５指示情報である。
【００１６】
実施の場合、前記設定情報に前記伝送方式指示情報が含まれば、前記端末が前記設定情報に基づいてＣＳＩを報告することは、 
前記端末は、前記伝送方式指示情報により示されたのがビームフォーミングＣＳＩ測定パイロット伝送方式であると判断すれば、前記ＣＳＩフィードバック設定グループ中の最適のＣＳＩフィードバック設定の位置情報及び対応のＣＳＩを報告し、
前記端末は、前記伝送方式指示情報に示されたのが非プリコーディングＣＳＩ測定パイロット伝送方式であると判断すれば、前記ＣＳＩフィードバック設定グループ中の各々ＣＳＩフィードバック設定に対応するＣＳＩを報告する。
【００１７】
実施の場合、前記端末が、基地局が指示したチャネル状態情報ＣＳＩフィードバック設定グループ及び前記ＣＳＩフィードバック設定グループに基づいてＣＳＩフィードバックを行う設定情報を受信することは、
前記設定情報に前記伝送方式指示情報が含まれば、前記端末は、前記伝送方式指示情報により示された伝送方式に対応するＣＳＩフィードバック設定の数を決定し、前記数に基づいて、前記基地局により指示された前記ＣＳＩフィードバック設定の指示情報を受信する。
【００１８】
実施の場合、前記設定情報にＣＳＩフィードバック方式指示情報が含まれば、前記端末が前記設定情報に基づいてＣＳＩを報告することは、
前記端末は、前記ＣＳＩフィードバック方式指示情報に基づいて、各々ＣＳＩフィードバック設定に対応するＣＳＩを報告し、または、前記ＣＳＩフィードバック方式指示情報に基づいて、最適のＣＳＩフィードバック設定の位置情報及び対応のＣＳＩを報告する。
【００１９】
実施の場合、前記設定情報に前記ＰＵＣＣＨによりフィードバックするダウンリンクチャネル情報内容の指示情報が含まれば、前記端末が前記設定情報に基づいてＣＳＩを報告することは、
前記端末は、前記ＰＵＣＣＨによりフィードバックするダウンリンクチャネル情報内容の指示情報が第１指示情報であると判断すれば、ＰＵＣＣＨにより、前記ＣＳＩフィードバック設定グループ中の最適のＣＳＩフィードバック設定の位置情報及び対応のＣＳＩを報告し、
前記端末は、前記ＰＵＣＣＨによりフィードバックするダウンリンクチャネル情報内容の指示情報が第２指示情報であると判断すれば、ＰＵＣＣＨにより、前記ＣＳＩフィードバック設定グループ中の前記基地局により指定されたＣＳＩフィードバック設定の位置情報及び対応のＣＳＩを報告し、
前記端末は、前記ＰＵＣＣＨによりフィードバックするダウンリンクチャネル情報内容の指示情報が第３指示情報であると判断すれば、ＰＵＣＣＨにより、前記ＣＳＩフィードバック設定グループ中の各々ＣＳＩフィードバック設定の位置情報及び対応のＣＳＩを報告する。
【００２０】
実施の場合、前記設定情報に前記ＰＵＳＣＨによりフィードバックするダウンリンクチャネル情報内容の指示情報が含まれば、前記端末が前記設定情報に基づいてＣＳＩを報告することは、
前記端末は、前記ＰＵＳＣＨによりフィードバックするダウンリンクチャネル情報内容の指示情報が第１指示情報であると判断すれば、ＰＵＳＣＨにより、前記ＣＳＩフィードバック設定グループ中の最適のＣＳＩフィードバック設定の位置情報及び対応のＣＳＩを報告し、
前記端末は、前記ＰＵＳＣＨによりフィードバックするダウンリンクチャネル情報内容の指示情報が第２指示情報であると判断すれば、ＰＵＳＣＨにより、前記ＣＳＩフィードバック設定グループ中の最適のＣＳＩフィードバック設定の位置情報を報告し、
前記端末は、前記ＰＵＳＣＨによりフィードバックするダウンリンクチャネル情報内容の指示情報が第３指示情報であると判断すれば、ＰＵＳＣＨにより、最新の報告された位置情報の前記ＣＳＩフィードバック設定グループにおける対応のＣＳＩフィードバック設定に対応するＣＳＩを報告し、
前記端末は、前記ＰＵＳＣＨによりフィードバックするダウンリンクチャネル情報内容の指示情報が第４指示情報であると判断すれば、ＰＵＳＣＨにより、前記ＣＳＩフィードバック設定グループ中の前記基地局により指定されたＣＳＩフィードバック設定に対応するＣＳＩを報告し、
前記端末は、前記ＰＵＳＣＨによりフィードバックするダウンリンクチャネル情報内容の指示情報が第５指示情報であると判断すれば、ＰＵＳＣＨにより、前記ＣＳＩフィードバック設定グループ中の各々ＣＳＩフィードバック設定に対応するＣＳＩを報告する。
【００２１】
実施の場合、前記設定情報に前記コードブック指示情報が含まれば、前記方法は、
前記端末は、前記コードブック指示情報に基づいて、ＣＳＩ測定においてＣＳＩ計算に用いられるコードブックを決定するステップをさらに備える。
【００２２】
実施の場合、前記端末が、前記コードブック指示情報に基づいて、ＣＳＩ測定においてＣＳＩ計算に用いられるコードブックを決定するステップは、
前記端末は、プリセットしたコードブック集合中の、前記コードブック指示情報をインデックスとするコードブックを決定し、決定したコードブックを前記ＣＳＩ計算に用いられるコードブックとし、
または、
前記端末は、前記コードブック指示情報内の各ビットの値に基づいて、プリセットしたコードブックのサブ集合を決定し、決定したサブ集合を前記ＣＳＩ計算に用いられるコードブックとし、前記コードブック指示情報内の各个ビットは、前記プリセットしたコードブック内の１つのコードワードに対応し、
または、
前記端末は、コードブック指示情報に基づいてイ、ターゲットコードブックの生成マトリクスを取得し、前記生成マトリクス及びプリセットしたコードブックに基づいて、ターゲットコードブックを決定し、前記ターゲットコードブックを前記ＣＳＩ計算に用いられるコードブックとし、
または、
前記端末は、コードブック指示情報に基づいて、ターゲットコードブックの生成パラメータを取得し、前記コードブック生成パラメータ及びプリセットした規則に基づいて、ターゲットコードブックを生成する。
【００２３】
実施の場合、前記設定情報に前記コードブックサブ集合制約指示が含まれば、前記方法は、
前記端末は、前記コードブックサブ集合制約指示に基づいて、ＣＳＩ計算に用いられる約定されたコードブックにおける目下に利用可能のコードワードを決定するステップをさらに備える。
【００２４】
第２の態様によれば、ＦＤ ＭＩＭＯシステムチャネル状態情報の取得方法は、
基地局は、端末にチャネル状態情報ＣＳＩフィードバック設定グループ及び前記ＣＳＩフィードバック設定グループに基づいてＣＳＩフィードバックを行う設定情報を送信するステップと、
前記基地局は、前記端末が前記ＣＳＩフィードバック設定グループ及び前記設定情報に基づいてフィードバックした情報を受信するステップとを備え、
前記ＣＳＩフィードバック設定グループには少なくとも１つのＣＳＩフィードバック設定が含まれ、前記ＣＳＩフィードバック設定は、ダウンリンクＣＳＩ測定及びフィードバックのためのダウンリンク信号の設定である。
【００２５】
前記ＣＳＩフィードバック設定は、ＣＳＩプロセス、ＮＺＰのＣＳＩ測定パイロットリソース設定、または、干渉測定リソース設定である。
【００２６】
前記設定情報には、以下のいずれか１つまたは任意の組み合わせを含まれ、
伝送方式指示情報、前記伝送方式は、ビームフォーミングＣＳＩ測定パイロット伝送方式、または、非プリコーディングＣＳＩ測定パイロット伝送方式であり、
ＣＳＩフィードバック方式指示情報、前記ＣＳＩフィードバック方式は、前記ＣＳＩフィードバック設定グループ中のＣＳＩフィードバック設定に対応する全部のＣＳＩをフィードバックするか、または、前記ＣＳＩフィードバック設定グループ中の最適のＣＳＩフィードバック設定の位置情報及び対応のＣＳＩをフィードバックし、
物理アップリンク制御チャネル（ＰＵＣＣＨ）によりフィードバックするダウンリンクチャネル情報内容の指示情報、
物理アップリンク共有チャネル（ＰＵＳＣＨ）によりフィードバックするダウンリンクチャネル情報内容の指示情報、
ＣＳＩ計算に用いられるコードブックのコードブック指示情報、
コードブックサブ集合制約指示、ＣＳＩ計算に用いられる約定されたコードブックにおける目下に利用可能のコードワードを示す。
【００２７】
前記ＰＵＣＣＨによりフィードバックするダウンリンクチャネル情報内容の指示情報は、
ＰＵＣＣＨにより、前記ＣＳＩフィードバック設定グループ中の最適のＣＳＩフィードバック設定の位置情報及び対応のＣＳＩをフィードバックする第１指示情報、または、
前記ＰＵＣＣＨにより、前記ＣＳＩフィードバック設定グループ中の前記基地局により指定されたＣＳＩフィードバック設定の位置情報及び対応のＣＳＩをフィードバックする第２指示情報、または、
前記ＰＵＣＣＨにより、前記ＣＳＩフィードバック設定グループ中の各々ＣＳＩフィードバック設定の位置情報及び対応のＣＳＩをフィードバックする第３指示情報である。
【００２８】
前記ＰＵＳＣＨによりフィードバックするダウンリンクチャネル情報内容の指示情報は、
ＰＵＳＣＨにより、前記ＣＳＩフィードバック設定グループ中の最適のＣＳＩフィードバック設定の位置情報及び対応のＰＵＳＣＨのＣＳＩをフィードバック第１指示情報、または、
ＰＵＳＣＨにより、前記ＣＳＩフィードバック設定グループ中の最適のＣＳＩフィードバック設定の位置情報をフィードバックする第２指示情報、または、
ＰＵＳＣＨにより、最新の報告された位置情報に対応するＣＳＩフィードバック設定グループ中の前記ＣＳＩフィードバック設定に対応するＣＳＩをフィードバックする第３指示情報、または、
ＰＵＳＣＨにより、前記ＣＳＩフィードバック設定グループ中の前記基地局により指定されたＣＳＩフィードバック設定に対応するＣＳＩをフィードバックする第４指示情報、または、
ＰＵＳＣＨにより、前記ＣＳＩフィードバック設定グループ中の各々ＣＳＩフィードバック設定のＣＳＩをフィードバックする第５指示情報である。
【００２９】
第３態様によれば、端末は、
基地局により指示されたチャネル状態情報ＣＳＩフィードバック設定グループ及び前記ＣＳＩフィードバック設定グループに基づいてＣＳＩフィードバックを行う設定情報を受信する受信モジュールと、
前記ＣＳＩフィードバック設定グループ及び前記設定情報に基づいてＣＳＩ測定及びフィードバックを行う処理モジュールとを備え、
前記ＣＳＩフィードバック設定グループには少なくとも１つのＣＳＩフィードバック設定が含まれ、前記ＣＳＩフィードバック設定は、ダウンリンクＣＳＩ測定及びフィードバックのためのダウンリンク信号の設定である。
【００３０】
前記ＣＳＩフィードバック設定は、ＣＳＩプロセス、ＮＺＰのＣＳＩ測定パイロットリソース設定、または、干渉測定リソース設定である。
【００３１】
前記設定情報には、以下のいずれか１つまたは任意の組み合わせが含まれる：
伝送方式指示情報、前記伝送方式は、ビームフォーミングＣＳＩ測定パイロット伝送方式、または、非プリコーディングＣＳＩ測定パイロット伝送方式であり、
ＣＳＩフィードバック方式指示情報、前記ＣＳＩフィードバック方式は、前記ＣＳＩフィードバック設定グループ中のＣＳＩフィードバック設定に対応する全部のＣＳＩをフィードバックするか、または、前記ＣＳＩフィードバック設定グループ中の最適のＣＳＩフィードバック設定の位置情報及び対応のＣＳＩをフィードバックし、
物理アップリンク制御チャネル（ＰＵＣＣＨ）によりフィードバックするダウンリンクチャネル情報内容の指示情報、
物理アップリンク共有チャネル（ＰＵＳＣＨ）によりフィードバックするダウンリンクチャネル情報内容の指示情報、
ＣＳＩ計算に用いられるコードブックのコードブック指示情報、
コードブックサブ集合制約指示、ＣＳＩ計算に用いられる約定されたコードブックにおける目下に利用可能のコードワードを示す。
【００３２】
前記ＰＵＣＣＨによりフィードバックするダウンリンクチャネル情報内容の指示情報は、
ＰＵＣＣＨにより、前記ＣＳＩフィードバック設定グループ中の最適のＣＳＩフィードバック設定の位置情報及び対応のＣＳＩをフィードバックする第１指示情報、または、
前記ＰＵＣＣＨにより、前記ＣＳＩフィードバック設定グループ中の前記基地局により指定されたＣＳＩフィードバック設定の位置情報及び対応のＣＳＩの第２指示をフィードバックする情報、または、
前記ＰＵＣＣＨにより、前記ＣＳＩフィードバック設定グループ中の各々ＣＳＩフィードバック設定の位置情報及び対応のＣＳＩをフィードバックする第３指示情報である。
【００３３】
前記ＰＵＳＣＨによりフィードバックするダウンリンクチャネル情報内容の指示情報は、
ＰＵＳＣＨにより、前記ＣＳＩフィードバック設定グループ中の最適のＣＳＩフィードバック設定の位置情報及び対応のＰＵＳＣＨのＣＳＩをフィードバック第１指示情報、または、
ＰＵＳＣＨにより、前記ＣＳＩフィードバック設定グループ中の最適のＣＳＩフィードバック設定の位置情報をフィードバックする第２指示情報、または、
ＰＵＳＣＨにより、最新の報告された位置情報に対応するＣＳＩフィードバック設定グループ中の前記ＣＳＩフィードバック設定に対応するＣＳＩをフィードバックする第３指示情報、または、
ＰＵＳＣＨにより、前記ＣＳＩフィードバック設定グループ中の前記基地局により指定されたＣＳＩフィードバック設定に対応するＣＳＩをフィードバックする第４指示情報、または、
ＰＵＳＣＨにより、前記ＣＳＩフィードバック設定グループ中の各々ＣＳＩフィードバック設定のＣＳＩをフィードバックする第５指示情報である。
【００３４】
実施の場合、前記処理モジュールは、
前記設定情報に前記伝送方式指示情報が含まれ、かつ、前記伝送方式指示情報により示されたのがビームフォーミングＣＳＩ測定パイロット伝送方式であると判断すれば、前記ＣＳＩフィードバック設定グループ中の最適のＣＳＩフィードバック設定の位置情報及び対応のＣＳＩを報告し、
前記設定情報に前記伝送方式指示情報が含まれ、かつ、前記伝送方式指示情報により示されたのがビームフォーミングＣＳＩ測定パイロット伝送方式であると判断すれば、前記ＣＳＩフィードバック設定グループ中の各々ＣＳＩフィードバック設定に対応するＣＳＩを報告する。
【００３５】
実施の場合、前記受信モジュールは、
前記設定情報に前記伝送方式指示情報が含まれば、前記伝送方式指示情報により示された伝送方式に対応するＣＳＩフィードバック設定の数を決定し、前記数に基づいて、前記基地局により指示された前記ＣＳＩフィードバック設定の指示情報を受信する。
【００３６】
実施の場合、前記処理モジュールは、
前記設定情報にＣＳＩフィードバック方式指示情報が含まれば、前記ＣＳＩフィードバック方式指示情報に基づいて各々ＣＳＩフィードバック設定に対応するＣＳＩを報告し、または、前記ＣＳＩフィードバック方式指示情報に基づいて、最適のＣＳＩフィードバック設定の位置情報及び対応のＣＳＩを報告する。
【００３７】
実施の場合、前記処理モジュールは、
前記設定情報に前記ＰＵＣＣＨによりフィードバックするダウンリンクチャネル情報内容の指示情報が含まれ、前記ＰＵＣＣＨによりフィードバックするダウンリンクチャネル情報内容の指示情報が第１指示情報であると判断すれば、ＰＵＣＣＨにより、前記ＣＳＩフィードバック設定グループ中の最適のＣＳＩフィードバック設定の位置情報及び対応のＣＳＩを報告し、
前記ＰＵＣＣＨによりフィードバックするダウンリンクチャネル情報内容の指示情報が第２指示情報であると判断すれば、ＰＵＣＣＨにより、前記ＣＳＩフィードバック設定グループ中の前記基地局により指定されたＣＳＩフィードバック設定の位置情報及び対応のＣＳＩを報告し、
前記ＰＵＣＣＨによりフィードバックするダウンリンクチャネル情報内容の指示情報が第３指示情報であると判断すれば、ＰＵＣＣＨにより、前記ＣＳＩフィードバック設定グループ中の各々ＣＳＩフィードバック設定の位置情報及び対応のＣＳＩを報告する。
【００３８】
実施の場合、前記処理モジュールは、
前記設定情報に前記ＰＵＳＣＨによりフィードバックするダウンリンクチャネル情報内容の指示情報が含まれ、前記ＰＵＳＣＨによりフィードバックするダウンリンクチャネル情報内容の指示情報が第１指示情報であると判断すれば、ＰＵＳＣＨにより、前記ＣＳＩフィードバック設定グループ中の最適のＣＳＩフィードバック設定の位置情報及び対応のＣＳＩを報告し、
前記ＰＵＳＣＨによりフィードバックするダウンリンクチャネル情報内容の指示情報が第２指示情報であると判断すれば、ＰＵＳＣＨにより、前記ＣＳＩフィードバック設定グループ中の最適のＣＳＩフィードバック設定の位置情報を報告し、
前記ＰＵＳＣＨによりフィードバックするダウンリンクチャネル情報内容の指示情報が第３指示情報であると判断すれば、ＰＵＳＣＨにより、最新の報告された位置情報の前記ＣＳＩフィードバック設定グループにおける対応のＣＳＩフィードバック設定に対応するＣＳＩを報告し、
前記ＰＵＳＣＨによりフィードバックするダウンリンクチャネル情報内容の指示情報が第４指示情報であると判断すれば、ＰＵＳＣＨにより、前記ＣＳＩフィードバック設定グループ中の前記基地局により指定されたＣＳＩフィードバック設定に対応するＣＳＩを報告し、
前記ＰＵＳＣＨによりフィードバックするダウンリンクチャネル情報内容の指示情報が第５指示情報であると判断すれば、ＰＵＳＣＨにより、前記ＣＳＩフィードバック設定グループ中の各々ＣＳＩフィードバック設定に対応するＣＳＩを報告する。
【００３９】
実施の場合、前記処理モジュールは、
前記設定情報に前記コードブック指示情報が含まれば、前記コードブック指示情報に基づいてＣＳＩ測定においてＣＳＩ計算に用いられるコードブックを決定する。
【００４０】
実施の場合、前記処理モジュールは、
プリセットしたコードブック集合中の、前記コードブック指示情報をインデックスとするコードブックを決定し、決定したコードブックを前記ＣＳＩ計算に用いられるコードブックとし、
または、
前記コードブック指示情報内の各ビットの値に基づいてプリセットしたコードブックのサブ集合を決定し、決定したサブ集合を前記ＣＳＩ計算に用いられるコードブックとし、前記コードブック指示情報内の各个ビットは、前記プリセットしたコードブック内の１つのコードワードに対応し、
または、
コードブック指示情報に基づいてターゲットコードブックの生成マトリクスを取得し、前記生成マトリクス及びプリセットしたコードブックに基づいて、ターゲットコードブックを決定し、前記ターゲットコードブックを前記ＣＳＩ計算に用いられるコードブックとし、
または、
コードブック指示情報に基づいてターゲットコードブックの生成パラメータを取得し、前記コードブック生成パラメータ及びプリセットした規則に基づいて、ターゲットコードブックを生成する。
【００４１】
実施の場合、前記処理モジュールは、
前記設定情報に前記コードブックサブ集合制約指示が含まれば、前記コードブックサブ集合制約指示に基づいてＣＳＩ計算に用いられる約定されたコードブックにおける目下に利用可能のコードワードを決定する。
【００４２】
第４態様によれば、基地局は、
端末にチャネル状態情報ＣＳＩフィードバック設定グループ及び前記ＣＳＩフィードバック設定グループに基づいてＣＳＩフィードバックを行う設定情報を送信する送信モジュールと、
前記端末が前記ＣＳＩフィードバック設定グループ及び前記設定情報に基づいてフィードバックした情報を受信する受信モジュールと、
前記ＣＳＩフィードバック設定グループには少なくとも１つのＣＳＩフィードバック設定が含まれ、前記ＣＳＩフィードバック設定は、ダウンリンクＣＳＩ測定及びフィードバックのためのダウンリンク信号の設定である。
【００４３】
第５態様によれば、端末は、主に、プロセッサと、メモリと、送受信機とを備え、送受信機は、プロセッサの制御により、データを送受信し、メモリにはプリセットしたプログラムが格納されており、プロセッサは、メモリからプログラムを読み出して、送受信機を介して、基地局により指示されたチャネル状態情報ＣＳＩフィードバック設定グループ及び前記ＣＳＩフィードバック設定グループに基づいてＣＳＩフィードバックを行う設定情報を受信し、
前記ＣＳＩフィードバック設定グループ及び前記設定情報に基づいてＣＳＩ測定及びフィードバックを行い、
前記ＣＳＩフィードバック設定グループには少なくとも１つのＣＳＩフィードバック設定が含まれ、前記ＣＳＩフィードバック設定は、ダウンリンクＣＳＩ測定及びフィードバックのためのダウンリンク信号の設定である。
【００４４】
実施の場合、前記ＣＳＩフィードバック設定は、ＣＳＩプロセス、ＮＺＰのＣＳＩ測定パイロットリソース設定、または、干渉測定リソース設定である。
【００４５】
実施の場合、前記設定情報には、以下のいずれか１つまたは任意の組み合わせが含まれる：
伝送方式指示情報、前記伝送方式は、ビームフォーミングＣＳＩ測定パイロット伝送方式、または、非プリコーディングＣＳＩ測定パイロット伝送方式であり、
ＣＳＩフィードバック方式指示情報，前記ＣＳＩフィードバック方式は、前記ＣＳＩフィードバック設定グループ中のＣＳＩフィードバック設定に対応する全部のＣＳＩをフィードバックするか、または、前記ＣＳＩフィードバック設定グループ中の最適のＣＳＩフィードバック設定の位置情報及び対応のＣＳＩをフィードバックし、
物理アップリンク制御チャネル（ＰＵＣＣＨ）によりフィードバックするダウンリンクチャネル情報内容の指示情報、
物理アップリンク共有チャネル（ＰＵＳＣＨ）によりフィードバックするダウンリンクチャネル情報内容の指示情報、
ＣＳＩ計算に用いられるコードブックのコードブック指示情報、
コードブックサブ集合制約指示、ＣＳＩ計算に用いられる約定されたコードブックにおける目下に利用可能のコードワードを示す。
【００４６】
実施例において、前記ＰＵＣＣＨによりフィードバックするダウンリンクチャネル情報内容の指示情報は、
ＰＵＣＣＨにより、前記ＣＳＩフィードバック設定グループ中の最適のＣＳＩフィードバック設定の位置情報及び対応のＣＳＩをフィードバックする第１指示情報、または、
前記ＰＵＣＣＨにより、前記ＣＳＩフィードバック設定グループ中の前記基地局により指定されたＣＳＩフィードバック設定の位置情報及び対応のＣＳＩをフィードバックする第２指示情報、または、
前記ＰＵＣＣＨにより、前記ＣＳＩフィードバック設定グループ中の各々ＣＳＩフィードバック設定の位置情報及び対応のＣＳＩをフィードバックする第３指示情報である。
【００４７】
実施の場合、前記ＰＵＳＣＨによりフィードバックするダウンリンクチャネル情報内容の指示情報は、
ＰＵＳＣＨにより、前記ＣＳＩフィードバック設定グループ中の最適のＣＳＩフィードバック設定の位置情報及び対応のＰＵＳＣＨのＣＳＩをフィードバック第１指示情報、または、
ＰＵＳＣＨにより、前記ＣＳＩフィードバック設定グループ中の最適のＣＳＩフィードバック設定の位置情報をフィードバックする第２指示情報、または、
ＰＵＳＣＨにより、最新の報告された位置情報に対応するＣＳＩフィードバック設定グループ中の前記ＣＳＩフィードバック設定に対応するＣＳＩをフィードバックする第３指示情報、または、
ＰＵＳＣＨにより、前記ＣＳＩフィードバック設定グループ中の前記基地局により指定されたＣＳＩフィードバック設定に対応するＣＳＩをフィードバックする第４指示情報、または、
ＰＵＳＣＨにより、前記ＣＳＩフィードバック設定グループ中の各々ＣＳＩフィードバック設定のＣＳＩをフィードバックする第５指示情報である。
【００４８】
実施の場合、プロセッサは、
前記設定情報に前記伝送方式指示情報が含まれば、プロセッサは、前記伝送方式指示情報により示されたのがビームフォーミングＣＳＩ測定パイロット伝送方式であると判断すれば、前記ＣＳＩフィードバック設定グループ中の最適のＣＳＩフィードバック設定の位置情報及び対応のＣＳＩを報告し、前記伝送方式指示情報により示されたのが非プリコーディングＣＳＩ測定パイロット伝送方式であると判断すれば、前記ＣＳＩフィードバック設定グループ中の各々ＣＳＩフィードバック設定に対応するＣＳＩを報告する。
【００４９】
実施の場合、前記伝送方式指示情報は、基地局により設定されたＣＳＩフィードバック設定に含まれるＣＳＩフィードバック設定の数をさらに示し、具体的に、前記プロセッサは、
前記設定情報に前記伝送方式指示情報が含まれば、プロセッサは、前記伝送方式指示情報により示された伝送方式に対応するＣＳＩフィードバック設定の数を決定し、前記数に基づいて、前記基地局により指示された前記ＣＳＩフィードバック設定の指示情報を受信するように、送受信機を指示する。
【００５０】
実施の場合、前記プロセッサは、
前記設定情報にＣＳＩフィードバック方式指示情報が含まれば、プロセッサは、前記ＣＳＩフィードバック方式指示情報に基づき、送受信機を介して、各々ＣＳＩフィードバック設定に対応するＣＳＩを報告し、または、前記ＣＳＩフィードバック方式指示情報に基づき、送受信機を介して最適のＣＳＩフィードバック設定の位置情報及び対応のＣＳＩを報告する。
【００５１】
実施の場合、前記プロセッサは、
前記設定情報に前記ＰＵＣＣＨによりフィードバックするダウンリンクチャネル情報内容の指示情報が含まれば、プロセッサは、前記ＰＵＣＣＨによりフィードバックするダウンリンクチャネル情報内容の指示情報が第１指示情報であると判断する場合、ＰＵＣＣＨにより、前記ＣＳＩフィードバック設定グループ中の最適のＣＳＩフィードバック設定の位置情報及び対応のＣＳＩを報告するように、送受信機を指示し、
前記ＰＵＣＣＨによりフィードバックするダウンリンクチャネル情報内容の指示情報が第２指示情報であると判断すれば、ＰＵＣＣＨにより、前記ＣＳＩフィードバック設定グループ中の前記基地局により指定されたＣＳＩフィードバック設定の位置情報及び対応のＣＳＩを報告するように、送受信機を指示し、
前記ＰＵＣＣＨによりフィードバックするダウンリンクチャネル情報内容の指示情報が第３指示情報であると判断すれば、指示送受信機ＰＵＣＣＨにより、前記ＣＳＩフィードバック設定グループ中の各々ＣＳＩフィードバック設定の位置情報及び対応のＣＳＩを報告する。
【００５２】
実施の場合、前記プロセッサは、
前記設定情報に前記ＰＵＳＣＨによりフィードバックするダウンリンクチャネル情報内容の指示情報が含まれば、プロセッサは、前記ＰＵＳＣＨによりフィードバックするダウンリンクチャネル情報内容の指示情報が第１指示情報であると判断する場合、ＰＵＳＣＨにより、前記ＣＳＩフィードバック設定グループ中の最適のＣＳＩフィードバック設定の位置情報及び対応のＣＳＩを報告するように、送受信機を指示し、
前記ＰＵＳＣＨによりフィードバックするダウンリンクチャネル情報内容の指示情報が第２指示情報であると判断すれば、ＰＵＳＣＨにより、前記ＣＳＩフィードバック設定グループ中の最適のＣＳＩフィードバック設定の位置情報を報告するように、送受信機を指示し、
前記ＰＵＳＣＨによりフィードバックするダウンリンクチャネル情報内容の指示情報が第３指示情報であると判断すれば、ＰＵＳＣＨにより、最新の報告された位置情報の前記ＣＳＩフィードバック設定グループにおける対応のＣＳＩフィードバック設定に対応するＣＳＩを報告するように、送受信機を指示し、
前記ＰＵＳＣＨによりフィードバックするダウンリンクチャネル情報内容の指示情報が第４指示情報であると判断すれば、ＰＵＳＣＨにより、前記ＣＳＩフィードバック設定グループ中の前記基地局により指定されたＣＳＩフィードバック設定に対応するＣＳＩを報告するように、送受信機を指示し、
前記ＰＵＳＣＨによりフィードバックするダウンリンクチャネル情報内容の指示情報が第５指示情報であると判断すれば、ＰＵＳＣＨにより、前記ＣＳＩフィードバック設定グループ中の各々ＣＳＩフィードバック設定に対応するＣＳＩを報告するように、送受信機を指示する。
【００５３】
実施の場合、前記プロセッサは、
前記設定情報に前記コードブック指示情報が含まれば、プロセッサは、前記コードブック指示情報に基づいてＣＳＩ測定においてＣＳＩ計算に用いられるコードブックを決定する。
【００５４】
具体的に、前記プロセッサは、
プロセッサは、プリセットしたコードブック集合中の、前記コードブック指示情報をインデックスとするコードブックを決定し、決定したコードブックを前記ＣＳＩ計算に用いられるコードブックとし、
または、
プロセッサは、前記コードブック指示情報内の各ビットの値に基づいてプリセットしたコードブックのサブ集合を決定し、決定したサブ集合を前記ＣＳＩ計算に用いられるコードブックとし、前記コードブック指示情報内の各个ビットは、前記プリセットしたコードブック内の１つのコードワードに対応し、
または、
プロセッサは、コードブック指示情報に基づいてターゲットコードブックの生成マトリクスを取得し、前記生成マトリクス及びプリセットしたコードブックに基づいて、ターゲットコードブックを決定し、前記ターゲットコードブックを前記ＣＳＩ計算に用いられるコードブックとし、
または、
プロセッサは、コードブック指示情報に基づいてターゲットコードブックの生成パラメータを取得し、前記コードブック生成パラメータ及びプリセットした規則に基づいて、ターゲットコードブックを生成する。
【００５５】
実施の場合、前記プロセッサは、
前記設定情報に前記コードブックサブ集合制約指示が含まれば、プロセッサは、前記コードブックサブ集合制約指示に基づいてＣＳＩ計算に用いられる約定されたコードブックにおける目下に利用可能のコードワードを決定する。
【００５６】
第６態様によれば、基地局は、主にプロセッサと、メモリと、送受信機とを備え、送受信機は、プロセッサの制御により、データを送受信し、メモリにはプリセットしたプログラムが格納されており、プロセッサは、メモリからプログラムを読み出して、送受信機を介して、端末にチャネル状態情報ＣＳＩフィードバック設定グループ及び前記ＣＳＩフィードバック設定グループに基づいてＣＳＩフィードバックを行う設定情報を送信し、
送受信機を介して、前記端末が前記ＣＳＩフィードバック設定グループ及び前記設定情報に基づいてフィードバックした情報を受信し、
前記ＣＳＩフィードバック設定グループには少なくとも１つのＣＳＩフィードバック設定が含まれ、前記ＣＳＩフィードバック設定は、ダウンリンクＣＳＩ測定及びフィードバックのためのダウンリンク信号の設定である。
【００５７】
実施の場合、前記ＣＳＩフィードバック設定グループには少なくとも１つのＣＳＩフィードバック設定が含まれ、前記ＣＳＩフィードバック設定は、ダウンリンクＣＳＩ測定及びフィードバックのためのダウンリンク信号の設定である。
【００５８】
実施の場合、ＣＳＩフィードバック設定は、ＣＳＩプロセス、ＮＺＰのＣＳＩ測定パイロットリソース設定、または、干渉測定リソース設定である。ＣＳＩフィードバック設定グループは、上記３種のＣＳＩフィードバック設定の任意の組み合わせであることができる。例えば、ＣＳＩフィードバック設定グループには複数のＮＺＰのＣＳＩ測定パイロットリソース設定と、１つの干渉測定リソース設定とが含まれる。
【００５９】
実施の場合、１つのＣＳＩプロセスは、１つＮＺＰのＣＳＩ測定パイロットリソース設定和１つの干渉測定リソース設定に対応する。
【００６０】
実施の場合、前記設定情報には、以下のいずれか１つまたは任意の組み合わせが含まれる：
伝送方式指示情報、前記伝送方式は、ビームフォーミングＣＳＩ測定パイロット伝送方式、または、非プリコーディングＣＳＩ測定パイロット伝送方式であり、
ＣＳＩフィードバック方式指示情報，前記ＣＳＩフィードバック方式は、前記ＣＳＩフィードバック設定グループ中のＣＳＩフィードバック設定に対応する全部のＣＳＩをフィードバックするか、または、前記ＣＳＩフィードバック設定グループ中の最適のＣＳＩフィードバック設定の位置情報及び対応のＣＳＩをフィードバックし、
物理アップリンク制御チャネル（ＰＵＣＣＨ）によりフィードバックするダウンリンクチャネル情報内容の指示情報、
物理アップリンク共有チャネル（ＰＵＳＣＨ）によりフィードバックするダウンリンクチャネル情報内容の指示情報、
ＣＳＩ計算に用いられるコードブックのコードブック指示情報、
コードブックサブ集合制約指示、ＣＳＩ計算に用いられる約定されたコードブックにおける目下に利用可能のコードワードを示す。
【００６１】
実施の場合、前記ＰＵＣＣＨによりフィードバックするダウンリンクチャネル情報内容の指示情報は
ＰＵＣＣＨにより、前記ＣＳＩフィードバック設定グループ中の最適のＣＳＩフィードバック設定の位置情報及び対応のＣＳＩをフィードバックする第１指示情報、または、
前記ＰＵＣＣＨにより、前記ＣＳＩフィードバック設定グループ中の前記基地局により指定されたＣＳＩフィードバック設定の位置情報及び対応のＣＳＩをフィードバックする第２指示情報、または、
前記ＰＵＣＣＨにより、前記ＣＳＩフィードバック設定グループ中の各々ＣＳＩフィードバック設定の位置情報及び対応のＣＳＩをフィードバックする第３指示情報である。
【００６２】
実施の場合、前記ＰＵＳＣＨによりフィードバックするダウンリンクチャネル情報内容の指示情報は、
ＰＵＳＣＨにより、前記ＣＳＩフィードバック設定グループ中の最適のＣＳＩフィードバック設定の位置情報及び対応のＰＵＳＣＨのＣＳＩをフィードバック第１指示情報、または、
ＰＵＳＣＨにより、前記ＣＳＩフィードバック設定グループ中の最適のＣＳＩフィードバック設定の位置情報をフィードバックする第２指示情報、または、
ＰＵＳＣＨにより、最新の報告された位置情報に対応するＣＳＩフィードバック設定グループ中の前記ＣＳＩフィードバック設定に対応するＣＳＩをフィードバックする第３指示情報、または、
ＰＵＳＣＨにより、前記ＣＳＩフィードバック設定グループ中の前記基地局により指定されたＣＳＩフィードバック設定に対応するＣＳＩをフィードバックする第４指示情報、または、
ＰＵＳＣＨにより、前記ＣＳＩフィードバック設定グループ中の各々ＣＳＩフィードバック設定のＣＳＩをフィードバックする第５指示情報である。
【００６３】
実施の場合、プロセッサは、送受信機を介して、端末が前記ＣＳＩフィードバック設定グループ及び前記設定情報に基づいてフィードバックした情報を受信し、詳しくは、端末が前記ＣＳＩフィードバック設定グループ及び前記設定情報に基づいて報告する部分の記載を参照されたい。
【００６４】
実施の場合、プロセッサは、
前記設定情報に前記伝送方式指示情報が含まれ、かつ、前記伝送方式指示情報により示されたのがビームフォーミングＣＳＩ測定パイロット伝送方式であると判断する場合、プロセッサは、送受信機を介して、端末により報告された前記ＣＳＩフィードバック設定グループ中の最適のＣＳＩフィードバック設定の位置情報及び対応のＣＳＩを受信し、
前記設定情報に前記伝送方式指示情報が含まれ、かつ、前記伝送方式指示情報により示されたのが非プリコーディングＣＳＩ測定パイロット伝送方式であると判断する場合、プロセッサは、送受信機を介して、端末により報告された前記ＣＳＩフィードバック設定グループ中の各々ＣＳＩフィードバック設定に対応するＣＳＩを受信する。
【００６５】
実施の場合、プロセッサは、
前記設定情報にＣＳＩフィードバック方式指示情報が含まれば、プロセッサは、送受信機を介して、端末が前記ＣＳＩフィードバック方式指示情報に基づいて報告した前記ＣＳＩフィードバック設定グループ中の各々ＣＳＩフィードバック設定に対応するＣＳＩを受信し、または、プロセッサは、送受信機を介して、端末が前記ＣＳＩフィードバック方式指示情報に基づいて報告した前記ＣＳＩフィードバック設定グループ中の最適のＣＳＩフィードバック設定の位置情報及び対応のＣＳＩを受信する。
【００６６】
実施の場合、プロセッサは、
前記設定情報に前記ＰＵＣＣＨによりフィードバックするダウンリンクチャネル情報内容の指示情報が含まれば、第１指示情報である場合、プロセッサは、送受信機を介して、端末がＰＵＣＣＨにより報告した前記ＣＳＩフィードバック設定グループ中の最適のＣＳＩフィードバック設定の位置情報及び対応のＣＳＩを受信し、第２指示情報である場合、プロセッサは、送受信機を介して、端末がＰＵＣＣＨにより報告した前記ＣＳＩフィードバック設定グループ中の前記基地局により指定されたＣＳＩフィードバック設定の位置情報及び対応のＣＳＩを受信し、第３指示情報である場合、プロセッサは、送受信機を介して、端末がＰＵＣＣＨにより報告した前記ＣＳＩフィードバック設定グループ中の各々ＣＳＩフィードバック設定の位置情報及び対応のＣＳＩを受信する。
【００６７】
実施の場合、プロセッサは、
前記設定情報に前記ＰＵＳＣＨによりフィードバックするダウンリンクチャネル情報内容の指示情報が含まれば、第１指示情報である場合、プロセッサは、送受信機を介して、端末がＰＵＳＣＨにより報告した前記ＣＳＩフィードバック設定グループ中の最適のＣＳＩフィードバック設定の位置情報及び対応のＣＳＩを受信し、第２指示情報である場合、プロセッサは、送受信機を介して、端末がＰＵＳＣＨにより報告した前記ＣＳＩフィードバック設定グループ中の最適のＣＳＩフィードバック設定の位置情報を受信し、第３指示情報である場合、プロセッサは、送受信機を介して、端末がＰＵＳＣＨにより報告した最新の報告された位置情報の前記ＣＳＩフィードバック設定グループにおける対応のＣＳＩフィードバック設定に対応するＣＳＩを受信し、第４指示情報であれば、プロセッサは、送受信機を介して、端末がＰＵＳＣＨにより報告した前記ＣＳＩフィードバック設定グループ中の前記基地局により指定されたＣＳＩフィードバック設定に対応するＣＳＩを受信し、第５指示情報である場合、プロセッサは、送受信機を介して、端末がＰＵＳＣＨにより報告した前記ＣＳＩフィードバック設定グループ中の各々ＣＳＩフィードバック設定に対応するＣＳＩを受信する。
【発明の効果】
【００６８】
上記の技術案によれば、本発明に係る実施例において、基地局は、ＣＳＩフィードバック設定グループ及び前記ＣＳＩフィードバック設定グループに基づいてＣＳＩをフィードバックする設定情報を、端末に指示し、前記ＣＳＩフィードバック設定グループには少なくとも１つのＣＳＩフィードバック設定が含まれ、前記ＣＳＩフィードバック設定は、ダウンリンクＣＳＩ測定及びフィードバックに用いられ、端末は、前記ＣＳＩフィードバック設定グループ及び前記設定情報に基づいて、ＣＳＩ測定及びフィードバックを行い、こうして、基地局の設定に基づいてＣＳＩをフィードバックし、また、ＣＳＩフィードバック設定グループに含まれるＣＳＩフィードバック設定の差異及び対応の設定情報の差異に基づいて異なる情報内容をフィードバックすることにより、ＣＳＩ測定後に多様のＣＳＩ関連情報をフィードバックするシナリオをサポートすることができるようになり、ＣＳＩ関連情報のフィードバック方法の柔軟性を向上する。
【図面の簡単な説明】
【００６９】
【図１】水平に配列されているデュアル極性アンテナを示す図である。
【図２】水平に配列されているアレイアンテナを示す図である。
【図３】水平及び垂直方向に配列されたデュアル極性アンテナを示す図である。
【図４】水平及び垂直方向に配列されたアレイアンテナを示す図である。
【図５】ＣＳＩ−ＲＳ送信を示す図である。
【図６】本発明の実施例に係る端末のＣＳＩフィードバック方法のフローチャートである。
【図７】本発明の実施例に係る基地局がＣＳＩを取得する方法のフローチャートである。
【図８】本発明の実施例に係る端末の構成図である。
【図９】本発明の実施例に係る他の端末の構成図である。
【図１０】本発明の実施例に係る基地局の構成図である。
【図１１】本発明の実施例に係る他の基地局の構成図である。
【発明を実施するための形態】
【００７０】
以下に本発明に係る実施形態において図面を結合して本発明の実施形態における技術方案について詳細に、完全に説明するが、次に陳述する実施形態は単に本発明のいくつかの実施形態であり、その全てではない。本分野の一般の技術者にとって、創造性的労働をしなくても、これらの実施形態に基づいてその他の実施形態を容易に獲得することができ、全て本発明の保護範囲に属することは明白である。
【００７１】
本発明の技術案は多様な通信システムに応用することができる。例えば、ＧＳＭ（登録商標）（Ｇｌｏｂａｌ Ｓｙｓｔｅｍ ｏｆ Ｍｏｂｉｌｅ ｃｏｍｍｕｎｉｃａｔｉｏｎ）システム、ＣＤＭＡ（Ｃｏｄｅ Ｄｉｖｉｓｉｏｎ Ｍｕｌｔｉｐｌｅ Ａｃｃｅｓｓ）システム、ＷＣＤＭＡ（登録商標）（Ｗｉｄｅｂａｎｄ Ｃｏｄｅ Ｄｉｖｉｓｉｏｎ Ｍｕｌｔｉｐｌｅ Ａｃｃｅｓｓ）システム、ＧＰＲＳ（Ｇｅｎｅｒａｌ Ｐａｃｋｅｔ Ｒａｄｉｏ Ｓｅｒｖｉｃｅ）、ＬＴＥ（Ｌｏｎｇ Ｔｅｒｍ Ｅｖｏｌｕｔｉｏｎ）システム、ＬＴＥ-Ａ（Ａｄｖａｎｃｅｄ ｌｏｎｇ ｔｅｒｍ ｅｖｏｌｕｔｉｏｎ）システム、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）等に応用できる。
【００７２】
また、本発明に係る実施例において、ＵＥは、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。
【００７３】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭ（登録商標）またはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）であってもよいが、本発明をそれに限定しない。
【００７４】
本発明に係る実施例において、図６に示すように、ＦＤ ＭＩＭＯシステムにおいて、端末がＣＳＩフィードバックを行う方法の詳しい流れはいかのとおりである。
【００７５】
ステップ６０１において、端末は、基地局が指示したチャネル状態情報ＣＳＩフィードバック設定グループ及び前記ＣＳＩフィードバック設定グループに基づいてＣＳＩフィードバックを行う設定情報を受信する。
【００７６】
前記ＣＳＩフィードバック設定グループには少なくとも１つのＣＳＩフィードバック設定が含まれ、前記ＣＳＩフィードバック設定は、ダウンリンクＣＳＩ測定及びフィードバックのためのダウンリンク信号の設定である。
【００７７】
ここで、ＣＳＩフィードバック設定は、ＣＳＩプロセス、ＮＺＰのＣＳＩ測定パイロットリソース設定、または、干渉測定リソース設定である。ＣＳＩフィードバック設定グループは、上記３種のＣＳＩフィードバック設定の任意の組み合わせであることができる。例えば、ＣＳＩフィードバック設定グループには複数のＮＺＰのＣＳＩ測定パイロットリソース設定と、１つの干渉測定リソース設定とが含まれる。
【００７８】
１つのＣＳＩプロセスは、１つＮＺＰのＣＳＩ測定パイロットリソース設定和１つの干渉測定リソース設定に対応する。
【００７９】
実施の場合、ＣＳＩフィードバック設定グループにおけるＣＳＩ測定パイロットリソース設定は、ＣＳＩ測定パイロットリソースインデックスまたは、識別子を用いて示すことができる。ＣＳＩフィードバック設定グループにおける干渉測定リソース設定は、干渉測定リソースインデックスまたは識別子を用いて示すことができる。ＣＳＩフィードバック設定グループにおけるＣＳプロセスも、ＣＳＩプロセスインデックスまたは識別子を用いて示すことができる。
【００８０】
ここで、前記設定情報には、以下のいずれか１つまたは任意の組み合わせが含まれる：
*伝送方式指示情報。前記伝送方式は、ビームフォーミングＣＳＩ測定パイロット伝送方式、または、非プリコーディングＣＳＩ測定パイロット伝送方式である。
*ＣＳＩフィードバック方式指示情報。前記ＣＳＩフィードバック方式は、前記ＣＳＩフィードバック設定グループ中のＣＳＩフィードバック設定に対応する全部のＣＳＩをフィードバックするか、または、前記ＣＳＩフィードバック設定グループ中の最適のＣＳＩフィードバック設定の位置情報及び対応のＣＳＩをフィードバックする。
*物理アップリンク制御チャネル（ＰＵＣＣＨ）によりフィードバックするダウンリンクチャネル情報内容の指示情報。
*物理アップリンク共有チャネル（ＰＵＳＣＨ）によりフィードバックするダウンリンクチャネル情報内容の指示情報。
*ＣＳＩ計算に用いられるコードブックのコードブック指示情報。
*コードブックサブ集合制約指示、ＣＳＩ計算に用いられる約定されたコードブックにおける目下に利用可能のコードワードを示す。
【００８１】
前記ＰＵＣＣＨによりフィードバックするダウンリンクチャネル情報内容の指示情報は、
ＰＵＣＣＨにより、前記ＣＳＩフィードバック設定グループ中の最適のＣＳＩフィードバック設定の位置情報及び対応のＣＳＩをフィードバックする第１指示情報、または、
前記ＰＵＣＣＨにより、前記ＣＳＩフィードバック設定グループ中の前記基地局により指定されたＣＳＩフィードバック設定の位置情報及び対応のＣＳＩをフィードバックする第２指示情報、または、
前記ＰＵＣＣＨにより、前記ＣＳＩフィードバック設定グループ中の各々ＣＳＩフィードバック設定の位置情報及び対応のＣＳＩをフィードバックする第３指示情報である。
【００８２】
前記ＰＵＳＣＨによりフィードバックするダウンリンクチャネル情報内容の指示情報は、
ＰＵＳＣＨにより、前記ＣＳＩフィードバック設定グループ中の最適のＣＳＩフィードバック設定の位置情報及び対応のＰＵＳＣＨのＣＳＩをフィードバック第１指示情報、または、
ＰＵＳＣＨにより、前記ＣＳＩフィードバック設定グループ中の最適のＣＳＩフィードバック設定の位置情報をフィードバックする第２指示情報、または、
ＰＵＳＣＨにより、最新の報告された位置情報に対応するＣＳＩフィードバック設定グループ中の前記ＣＳＩフィードバック設定に対応するＣＳＩをフィードバックする第３指示情報、または、
ＰＵＳＣＨにより、前記ＣＳＩフィードバック設定グループ中の前記基地局により指定されたＣＳＩフィードバック設定に対応するＣＳＩをフィードバックする第４指示情報、または、
ＰＵＳＣＨにより、前記ＣＳＩフィードバック設定グループ中の各々ＣＳＩフィードバック設定のＣＳＩをフィードバックする第５指示情報である。
【００８３】
実施の場合、基地局は、高位層シグナリングにより、端末のために、ＣＳＩフィードバック設定グループ及び前記ＣＳＩフィードバック設定グループに基づいてＣＳＩをフィードバックする設定情報を設定する。
【００８４】
本発明に係る実施例において、ＣＳＩフィードバック設定の位置情報は、多様な示す方式があるが、以下２つの実施方式を含むがこれに限られない。
【００８５】
＜実施方式１＞ＣＳＩフィードバック設定の位置情報は、ＣＳＩフィードバック設定グループにおけるインデックス、即ち、ＣＳＩフィードバック設定グループ中の全部のＣＳＩ測定パイロットリソースのインデックスにより示されることができ、または、ＣＳＩフィードバック設定グループにおける全部のＣＳＩプロセスのインデックスにより示される。
【００８６】
＜実施方式２＞ビットマップマッピングの示す方式。即ち、ＣＳＩフィードバック設定グループにおける全部のＣＳＩフィードバック設定は、１つのビットシーケンスに対応し、各々ＣＳＩフィードバック設定は、当該ビットシーケンスにおける設定数のビットに対応する。例えば、各々ＣＳＩフィードバック設定は、当該ビットシーケンスにおける１つのビットに対応し、あるＣＳＩフィードバック設定の位置情報をフィードバックする必要があれば、ビットシーケンスにおける前記ＣＳＩフィードバック設定に対応するビットの値を１とし、ＣＳＩフィードバック設定の位置情報をフィードバックする必要がなければ、当該ビットシーケンスにおける対応のビットの値を０とする。
【００８７】
ステップ６０２において、端末は、前記ＣＳＩフィードバック設定グループ及び前記設定情報に基づいて、ＣＳＩ測定及びフィードバックを行う。
【００８８】
実施の場合、前記設定情報には前記伝送方式指示情報が含まれ、前記端末が前記設定情報に基づいＣＳＩを報告することは、具体的に、前記端末は、前記伝送方式指示情報により示されたのがビームフォーミングＣＳＩ測定パイロット伝送方式であると判断すれば、前記ＣＳＩフィードバック設定グループ中の最適のＣＳＩフィードバック設定の位置情報及び対応のＣＳＩを報告し、前記端末は、前記伝送方式指示情報に示されたのが非プリコーディングＣＳＩ測定パイロット伝送方式であると判断すれば、前記ＣＳＩフィードバック設定グループ中の各々ＣＳＩフィードバック設定に対応するＣＳＩを報告する。
【００８９】
ここで、端末は、ＣＳＩフィードバック設定グループにおける各々ＣＳＩフィードバック設定に基づいて測定し、測定結果に基づいて最適のＣＳＩフィードバック設定を決定する。当該測定は、ＣＳＩ測定であってもよく、リファレンス信号受信電力（ＲＳRP）測定等であってもよい。
【００９０】
実施の場合、前記伝送方式指示情報は、ＣＳＩフィードバック設定の数を示すこともできる。例えば、前記伝送方式指示情報により示されたのがビームフォーミングＣＳＩ測定パイロット伝送方式であれば、基地局により指示されたＣＳＩフィードバック設定グループには４つのＣＳＩフィードバック設定が含まれる。前記伝送方式指示情報により示されたのが非プリコーディングＣＳＩ測定パイロット伝送方式であれば、基地局により指示されたＣＳＩフィードバック設定グループには１つのＣＳＩフィードバック設定が含まれる。
【００９１】
具体的に、前記設定情報に前記伝送方式指示情報が含まれば、前記端末は、前記伝送方式指示情報により示された伝送方式に対応するＣＳＩフィードバック設定の数を決定し、前記数に基づいて、前記基地局により指示された前記ＣＳＩフィードバック設定の指示情報を受信する。
【００９２】
実施の場合、前記設定情報にＣＳＩフィードバック方式指示情報が含まれば、前記端末が前記設定情報に基づいてＣＳＩを報告することは、具体的に、前記端末は、前記ＣＳＩフィードバック方式指示情報にもとづいて、前記ＣＳＩフィードバック設定グループ中の各々ＣＳＩフィードバック設定に対応するＣＳＩを報告するか、または、前記ＣＳＩフィードバック方式指示情報に基づき、前記ＣＳＩフィードバック設定グループ中の最適のＣＳＩフィードバック設定の位置情報及び対応のＣＳＩを報告する。
【００９３】
実施の場合、前記設定情報に前記ＰＵＣＣＨによりフィードバックするダウンリンクチャネル情報内容の指示情報が含まれば、前記端末が前記設定情報に基づいてＣＳＩを報告することは、具体的に、前記端末は、前記ＰＵＣＣＨによりフィードバックするダウンリンクチャネル情報内容の指示情報が第１指示情報であると判断すれば、ＰＵＣＣＨにより、前記ＣＳＩフィードバック設定グループ中の最適のＣＳＩフィードバック設定の位置情報及び対応のＣＳＩを報告する。
【００９４】
前記端末は、前記ＰＵＣＣＨによりフィードバックするダウンリンクチャネル情報内容の指示情報が第２指示情報であると判断すれば、ＰＵＣＣＨにより、前記ＣＳＩフィードバック設定グループ中の前記基地局により指定されたＣＳＩフィードバック設定の位置情報及び対応のＣＳＩを報告する。
【００９５】
前記端末は、前記ＰＵＣＣＨによりフィードバックするダウンリンクチャネル情報内容の指示情報が第３指示情報であると判断すれば、ＰＵＣＣＨにより、前記ＣＳＩフィードバック設定グループ中の各々ＣＳＩフィードバック設定の位置情報及び対応のＣＳＩを報告する。
【００９６】
実施の場合、前記設定情報に前記ＰＵＳＣＨによりフィードバックするダウンリンクチャネル情報内容の指示情報が含まれば、前記端末が前記設定情報に基づいてＣＳＩを報告することは、具体的に、前記端末は、前記ＰＵＳＣＨによりフィードバックするダウンリンクチャネル情報内容の指示情報が第１指示情報であると判断すれば、ＰＵＳＣＨにより、前記ＣＳＩフィードバック設定グループ中の最適のＣＳＩフィードバック設定の位置情報及び対応のＣＳＩを報告する。
【００９７】
前記端末は、前記ＰＵＳＣＨによりフィードバックするダウンリンクチャネル情報内容の指示情報が第２指示情報であると判断すれば、ＰＵＳＣＨにより、前記ＣＳＩフィードバック設定グループ中の最適のＣＳＩフィードバック設定の位置情報を報告する。
【００９８】
前記端末は、前記ＰＵＳＣＨによりフィードバックするダウンリンクチャネル情報内容の指示情報が第３指示情報であると判断すれば、ＰＵＳＣＨにより、最新の報告された位置情報の前記ＣＳＩフィードバック設定グループにおける対応のＣＳＩフィードバック設定に対応するＣＳＩを報告する。
【００９９】
前記端末は、前記ＰＵＳＣＨによりフィードバックするダウンリンクチャネル情報内容の指示情報が第４指示情報であると判断すれば、ＰＵＳＣＨにより、前記ＣＳＩフィードバック設定グループ中の前記基地局により指定されたＣＳＩフィードバック設定に対応するＣＳＩを報告する。
【０１００】
前記端末は、前記ＰＵＳＣＨによりフィードバックするダウンリンクチャネル情報内容の指示情報が第５指示情報であると判断すれば、ＰＵＳＣＨにより、前記ＣＳＩフィードバック設定グループ中の各々ＣＳＩフィードバック設定に対応するＣＳＩを報告する。
【０１０１】
実施の場合、前記設定情報に前記コードブック指示情報が含まれば、前記端末は、前記コードブック指示情報に基づいて、ＣＳＩ測定においてＣＳＩ計算に用いられるコードブックを決定する。
【０１０２】
具体的に、前記端末が、前記コードブック指示情報に基づいて、ＣＳＩ測定においてＣＳＩ計算に用いられるコードブックを決定することは、以下の方式を含むがこれらに限定しない。
【０１０３】
＜第１方式＞前記端末は、プリセットしたコードブック集合中の、前記コードブック指示情報をインデックスとするコードブックを決定し、決定したコードブックを前記ＣＳＩ計算に用いられるコードブックとし。例えば、基地局は、端末のために４つのコードブックを設定し、長さが２ビットであるコードブック指示情報を用いてターゲットコードブックの当該４つのコードブックにおけるインデックスを示す。
【０１０４】
＜第２方式＞前記端末は、前記コードブック指示情報内の各ビットの値に基づいて、プリセットしたコードブックのサブ集合を決定し、決定したサブ集合を前記ＣＳＩ計算に用いられるコードブックとする。前記コードブック指示情報内の各个ビットは、前記プリセットしたコードブック内の１つのコードワードに対応する。例えば、コードブック指示情報は、ビットマップマッピング方式を利用し、即ち、コードブック指示情報は１つのビットシーケンスであり、当該ビットシーケンスにおける各ビットは、プリセットしたコードブックにおける１つのコードワードに対応する。ビットシーケンスのおける値が「１」であるビットは、対応のコードワードが利用可能であることを意味し、ビットシーケンスにおける全部の値が「１」であるビットに基づいて、ＣＳＩ計算に用いられるコードワードを得る。
【０１０５】
＜第３方式＞前記端末は、コードブック指示情報に基づいてイ、ターゲットコードブックの生成マトリクスを取得し、前記生成マトリクス及びプリセットしたコードブックに基づいて、ターゲットコードブックを決定し、前記ターゲットコードブックを前記ＣＳＩ計算に用いられるコードブックとする。
【０１０６】
＜第４方式＞前記端末は、コードブック指示情報に基づいて、ターゲットコードブックの生成パラメータを取得し、前記コードブック生成パラメータ及びプリセットした規則に基づいて、ターゲットコードブックを生成する。ターゲットコードブックの生成パラメータは、ターゲットコードブックに含まれる水平及び垂直方向のビーム数、コードブックのオーバーサンプリング・ レート等であることができる。
【０１０７】
実施の場合、前記設定情報に前記コードブックサブ集合制約指示が含まれば、前記端末は、前記コードブックサブ集合制約指示に基づいて、ＣＳＩ計算に用いられる約定されたコードブックにおける目下に利用可能のコードワードを決定する。
【０１０８】
具体的に、コードブックサブ集合制約指示は、ビットマップマッピングの方式で指示し、即ち、コードブックサブ集合制約指示は１つのビットシーケンスであり、当該ビットシーケンスにおける各ビットは、約定されたコードブック内の１つのコードワードに対応し、値が「１」であるビットは、約定されたコードブックにおける対応のコードワードが現在利用可能であることを示す。
【０１０９】
具体的に、コードブックサブ集合制約指示は、コードブック指示情報と結合して利用することができ、即ち、コードブック指示情報により、現在利用するコードブックを決定し、コードブックサブ集合制約指示に基づいて、当該現在利用するコードブックにおける目下に利用可能のコードワードを決定する。
【０１１０】
同様な発明思想に基づいて、本発明に係る実施例において、図７に示すように、ＦＤ ＭＩＭＯシステムにおいて、基地局がチャネル状態情報を取得する方法の流れは以下のとおりである。
【０１１１】
ステップ７０１において、基地局は、端末にチャネル状態情報ＣＳＩフィードバック設定グループ及び前記ＣＳＩフィードバック設定グループに基づいてＣＳＩフィードバックを行う設定情報を送信する。
【０１１２】
前記ＣＳＩフィードバック設定グループには少なくとも１つのＣＳＩフィードバック設定が含まれ、前記ＣＳＩフィードバック設定は、ダウンリンクＣＳＩ測定及びフィードバックのためのダウンリンク信号の設定である。
【０１１３】
ここで、ＣＳＩフィードバック設定は、ＣＳＩプロセス、ＮＺＰのＣＳＩ測定パイロットリソース設定、または、干渉測定リソース設定である。ＣＳＩフィードバック設定グループは、上記３種のＣＳＩフィードバック設定の任意の組み合わせであることができる。例えば、ＣＳＩフィードバック設定グループには複数のＮＺＰのＣＳＩ測定パイロットリソース設定と、１つの干渉測定リソース設定とが含まれる。
【０１１４】
ここで、１つのＣＳＩプロセスは、１つＮＺＰのＣＳＩ測定パイロットリソース設定和１つの干渉測定リソース設定に対応する。
【０１１５】
ここで、前記設定情報には、以下のいずれか１つまたは任意の組み合わせが含まれる：
*  伝送方式指示情報。前記伝送方式は、ビームフォーミングＣＳＩ測定パイロット伝送方式、または、非プリコーディングＣＳＩ測定パイロット伝送方式である。
*  ＣＳＩフィードバック方式指示情報。前記ＣＳＩフィードバック方式は、前記ＣＳＩフィードバック設定グループ中のＣＳＩフィードバック設定に対応する全部のＣＳＩをフィードバックするか、または、前記ＣＳＩフィードバック設定グループ中の最適のＣＳＩフィードバック設定の位置情報及び対応のＣＳＩをフィードバックする。
*  物理アップリンク制御チャネル（ＰＵＣＣＨ）によりフィードバックするダウンリンクチャネル情報内容の指示情報。
*  物理アップリンク共有チャネル（ＰＵＳＣＨ）によりフィードバックするダウンリンクチャネル情報内容の指示情報。
*  ＣＳＩ計算に用いられるコードブックのコードブック指示情報。
*  コードブックサブ集合制約指示。ＣＳＩ計算に用いられる約定されたコードブックにおける目下に利用可能のコードワードを示す。
【０１１６】
前記ＰＵＣＣＨによりフィードバックするダウンリンクチャネル情報内容の指示情報は、
ＰＵＣＣＨにより、前記ＣＳＩフィードバック設定グループ中の最適のＣＳＩフィードバック設定の位置情報及び対応のＣＳＩをフィードバックする第１指示情報、または、
前記ＰＵＣＣＨにより、前記ＣＳＩフィードバック設定グループ中の前記基地局により指定されたＣＳＩフィードバック設定の位置情報及び対応のＣＳＩをフィードバックする第２指示情報、または、
前記ＰＵＣＣＨにより、前記ＣＳＩフィードバック設定グループ中の各々ＣＳＩフィードバック設定の位置情報及び対応のＣＳＩをフィードバックする第３指示情報である。
【０１１７】
其中，前記ＰＵＳＣＨによりフィードバックするダウンリンクチャネル情報内容の指示情報は、
ＰＵＳＣＨにより、前記ＣＳＩフィードバック設定グループ中の最適のＣＳＩフィードバック設定の位置情報及び対応のＰＵＳＣＨのＣＳＩをフィードバック第１指示情報、または、
ＰＵＳＣＨにより、前記ＣＳＩフィードバック設定グループ中の最適のＣＳＩフィードバック設定の位置情報をフィードバックする第２指示情報、または、
ＰＵＳＣＨにより、最新の報告された位置情報に対応するＣＳＩフィードバック設定グループ中の前記ＣＳＩフィードバック設定に対応するＣＳＩをフィードバックする第３指示情報、または、
ＰＵＳＣＨにより、前記ＣＳＩフィードバック設定グループ中の前記基地局により指定されたＣＳＩフィードバック設定に対応するＣＳＩをフィードバックする第４指示情報、または、
ＰＵＳＣＨにより、前記ＣＳＩフィードバック設定グループ中の各々ＣＳＩフィードバック設定のＣＳＩをフィードバックする第５指示情報である。
【０１１８】
ステップ７０２において、基地局は、前記端末が前記ＣＳＩフィードバック設定グループ及び前記設定情報に基づいてフィードバックした情報を受信する。
【０１１９】
基地局は、端末が前記ＣＳＩフィードバック設定グループ及び前記設定情報に基づいてフィードバックした情報を受信することは、具体的に、端末が前記ＣＳＩフィードバック設定グループ及び前記設定情報に基づいて報告する部分の内容を参照されたい。
【０１２０】
具体的に、前記設定情報に前記伝送方式指示情報が含まれ、かつ、前記伝送方式指示情報により示されたのがビームフォーミングＣＳＩ測定パイロット伝送方式であると判断する場合、基地局は、端末により報告された前記ＣＳＩフィードバック設定グループ中の最適のＣＳＩフィードバック設定の位置情報及び対応のＣＳＩを受信する。
【０１２１】
前記設定情報に前記伝送方式指示情報が含まれ、かつ、前記伝送方式指示情報により示されたのが非プリコーディングＣＳＩ測定パイロット伝送方式であると判断する場合、基地局は、端末により報告された前記ＣＳＩフィードバック設定グループ中の各々ＣＳＩフィードバック設定に対応するＣＳＩを受信する。
【０１２２】
具体的に、前記設定情報にＣＳＩフィードバック方式指示情報が含まれば、基地局は、端末が前記ＣＳＩフィードバック方式指示情報に基づいて報告した前記ＣＳＩフィードバック設定グループ中の各々ＣＳＩフィードバック設定に対応するＣＳＩを受信するか、または、端末が前記ＣＳＩフィードバック方式指示情報に基づいて報告した前記ＣＳＩフィードバック設定グループ中の最適のＣＳＩフィードバック設定の位置情報及び対応のＣＳＩを受信する。
【０１２３】
具体的に、前記設定情報に前記ＰＵＣＣＨによりフィードバックするダウンリンクチャネル情報内容の指示情報が含まれば、第１指示情報である場合、基地局は、端末がＰＵＣＣＨにより報告した前記ＣＳＩフィードバック設定グループ中の最適のＣＳＩフィードバック設定の位置情報及び対応のＣＳＩを受信し、第２指示情報である場合、基地局は、端末がＰＵＣＣＨにより報告した前記ＣＳＩフィードバック設定グループ中の前記基地局により指定されたＣＳＩフィードバック設定の位置情報及び対応のＣＳＩを受信し、第３指示情報である場合、基地局は、端末がＰＵＣＣＨにより報告した前記ＣＳＩフィードバック設定グループ中の各々ＣＳＩフィードバック設定の位置情報及び対応のＣＳＩを受信する。
【０１２４】
具体的に、前記設定情報に前記ＰＵＳＣＨによりフィードバックするダウンリンクチャネル情報内容の指示情報が含まれば、第１指示情報である場合、基地局は、端末がＰＵＳＣＨにより報告した前記ＣＳＩフィードバック設定グループ中の最適のＣＳＩフィードバック設定の位置情報及び対応のＣＳＩを受信し、第２指示情報である場合、基地局は、端末がＰＵＳＣＨにより報告した前記ＣＳＩフィードバック設定グループ中の最適のＣＳＩフィードバック設定の位置情報を受信し、第３指示情報である場合、基地局は、端末がＰＵＳＣＨにより報告された、最新の報告された位置情報の前記ＣＳＩフィードバック設定グループにおける対応のＣＳＩフィードバック設定に対応するＣＳＩを受信し、第４指示情報であれば、基地局は、端末がＰＵＳＣＨにより報告した前記ＣＳＩフィードバック設定グループ中の前記基地局により指定されたＣＳＩフィードバック設定に対応するＣＳＩを受信し、第５指示情報である場合、基地局は、端末がＰＵＳＣＨにより報告した、前記ＣＳＩフィードバック設定グループ中の各々ＣＳＩフィードバック設定に対応するＣＳＩを受信する。
【０１２５】
以下、２つの実施例により、ＦＤ ＭＩＭＯシステムにおいて、チャネル状態情報のフィードバック方法を説明する。
【０１２６】
＜第１実施例＞基地局は、高位層シグナリングにより、ＵＥのために１つのＣＳＩフィードバック設定グループを設定し、前記ＣＳＩフィードバック設定グループには、１つのＣＳＩ測定パイロットリソース設定インデックス及び１つの干渉測定リソース設定インデックスを含む。
【０１２７】
１つのＣＳＩ測定パイロットリソース設定インデックスの長さは、４ビットであり、１つのＣＳＩ測定パイロットリソース設定を示す。
【０１２８】
１つの干渉測定リソース設定インデックスの長さは４ビットであり、１つの干渉測定リソース設定を示す。
【０１２９】
また、基地局は、高位層シグナリングにより、ＵＥのために設定された前記ＣＳＩフィードバック設定グループに基づいてＣＳＩフィードバックを行う設定情報を設定し、当該設定情報は、１つのＣＳＩフィードバック方式指示情報と、１つのコードブック指示情報と、１つのコードブックサブ集合制約指示情報とを含む。
【０１３０】
１つのＣＳＩフィードバック方式指示情報の長さは１ビットであり、ＣＳＩフィードバック方式がＣＳＩのみをフィードバックするか、ＣＳＩ設定の位置情報及び対応のＣＳＩをフィードバックするかを示す。当該実施例には、ＣＳＩフィードバック方式指示情報がＣＳＩのみをフィードバックすると仮定する。
【０１３１】
１つのコードブック指示情報の長さは、２ビットであり、指示現在の方法に用いるコードブックの、基地局によりプリセットした４つのコードブック内のインデックスを示す。基地局が４つのコードブックをプリセットし、それぞれの生成マトリクスは、４つのコードブックの生成のためのものであり、全部のコードブック中の最大コードブックのサイズが６４ビットである。
【０１３２】
１つのコードブックサブ集合制約指示情報の長さは、６４ビットであり、コードブック中の利用可能なコードワードを示し、各ビットは、コードブック内の１つのコードワードに対応する。
【０１３３】
ＵＥは、前記ＣＳＩフィードバック設定グループ及び前記ＣＳＩフィードバック設定グループに基づいてＣＳＩをフィードバックする設定情報により、ＣＳＩ測定及び報告を行い、以下、詳しく説明する。
【０１３４】
ステップ１、ＵＥは、ＣＳＩ測定パイロットリソース設定インデックスに基づき、ＣＳＩ測定パイロットリソース設定を決定し、干渉測定リソース設定インデックスに基づき、干渉測定リソース設定を決定し、前記ＣＳＩ測定パイロットリソース設定及び干渉測定リソース設定に基づき、ＣＳＩを測定する。
【０１３５】
ステップ２、ＵＥは、設定情報内のＣＳＩフィードバック方式指示情報に基づき、ＣＳＩフィードバック設定グループ中の各々ＣＳＩ測定パイロットリソース設定に対応するＣＳＩのみをフィードバックすると決定する。
【０１３６】
ステップ３、ＵＥは、コードブック指示情報に基づき、ＣＳＩ計算に用いるコードブックを決定し、コードブックサブ集合制約指示に基づき、当該コードブックにおける有効なコードワードを決定し、決定した有効なコードワードに基づき、ＣＳＩを評価する。
【０１３７】
ステップ４、ＵＥは、測定し得たＣＳＩフィードバック設定グループ中の各々ＣＳＩ測定パイロットリソース設定に対応するＣＳＩを報告する。
【０１３８】
第２実施例において、基地局が、高位層シグナリングにより、ＵＥのために、１つのＣＳＩフィードバック設定グループを設定し、前記ＣＳＩフィードバック設定グループは、４つのＣＳＩパイロットリソース設定インデックスと、１つの干渉測定リソース設定インデックスとを含む。
【０１３９】
４つのＣＳＩパイロットリソース設定インデックスのうち、１つの長さは４ビットであり、４つのＣＳＩパイロットリソース設定を取得する。
【０１４０】
１つの干渉測定リソース設定インデックスの長さは４ビットであり、１つの干渉測定リソース設定を示す。
【０１４１】
または、基地局が、高位層シグナリングにより、ＵＥのための、設定された前記ＣＳＩフィードバック設定グループにもとづいてＣＳＩフィードバックを行う設定情報を設定し、当該設定情報は、１つのＰＵＣＣＨによりフィードバックするダウンリンクチャネル情報内容の指示情報と、１つのＰＵＳＣＨによりフィードバックするダウンリンクチャネル情報内容の指示情報と、１つのコードブック指示情報とを含む。
【０１４２】
１つのＰＵＣＣＨによりフィードバックするダウンリンクチャネル情報内容の指示情報の長さは１ビットであり、具体的な指示方式は表１に示すように、ＰＵＣＣＨによりフィードバックするダウンリンクチャネル情報内容の指示情報の値が１であれば、基地局は、ＵＥに、全部のＣＳＩ測定パイロットリソースのインデックス情報を通知して、ＵＥに、基地局により指定されたＣＳＩ測定パイロットリソースを決定させる。
【０１４３】
【表１】
0006511582.tif 000002
【０１４４】
１つのＰＵＳＣＨによりフィードバックするダウンリンクチャネル情報内容の指示情報の長さは２ビットであり、具体的な指示方式は表２に示す。
【０１４５】
【表２】
0006511582.tif 000003
【０１４６】
１つのコードブック指示情報の長さは３ビットであり、現行コードブックに用いられる生成マトリクスの、全部の事前に設定した生成マトリクス内のインデックスを示す。
【０１４７】
ＵＥは、前記ＣＳＩフィードバック設定グループ及び前記ＣＳＩフィードバック設定グループに基づいてＣＳＩをフィードバックする設定情報により、ＣＳＩ測定及び報告を行い、以下、詳しく説明する。
【０１４８】
ステップ１、ＵＥは、ＰＵＳＣＨによりフィードバックするダウンリンクチャネル情報内容の指示情報に基づき、フィードバックＣＳＩフィードバック設定グループ中の最適のＣＳＩ測定パイロットリソース設定の位置情報及び対応のＣＳＩを決定する。
【０１４９】
ステップ２、ＵＥは、ＣＳＩフィードバック設定グループにおける４つのＣＳＩ測定パイロットリソース設定インデックスに基づき、４つのＣＳＩ測定パイロットリソース設定を決定し、または、干渉測定リソース設定インデックスに基づき、干渉測定リソース設定を決定し、各ＣＳＩ測定パイロットリソース設定それぞれに基づき、ＲＳＲＰ測定を行い、ＲＳＲＰ最大のＣＳＩ測定パイロットリソース設定を決定して、最適のＣＳＩ測定パイロットリソース設定とする。
【０１５０】
ステップ３、ＵＥは、コードブック指示情報に基づき、コードブックの生成マトリクスを決定し、予め約定したコードブック生成方式及び当該生成マトリクスに基づき、コードブックを生成する。
【０１５１】
ステップ４、ＵＥは、最適のＣＳＩ測定パイロットリソース設定及び干渉測定リソース設定に基づき、ＣＳＩ測定を行い、ＣＳＩ測定には、ステップ３において得られたコードブックを用いる。
【０１５２】
ステップ５、ＵＥは、最適のＣＳＩ測定パイロットリソース設定の、全部のＣＳＩ測定パイロットリソース設定中のインデックス及び測定し得たＣＳＩを周期的にフィードバックする。
【０１５３】
ＵＥは、基地局の非周期的なＣＳＩトリガーシグナリングを受信した後、前記ＣＳＩフィードバック設定グループ及び前記ＣＳＩフィードバック設定グループに基づいてＣＳＩをフィードバックする設定情報により、ＣＳＩ測定及び非周期的なフィードバックを行い、以下、詳しく説明する。
【０１５４】
ステップ１、ＵＥは、ＰＵＳＣＨによりフィードバックするダウンリンクチャネル情報内容の指示情報に基づき、フィードバックＣＳＩフィードバック設定グループ中の、基地局により指定された１つのＣＳＩパイロットリソース設定に対応するＣＳＩを決定する。
【０１５５】
ステップ２、ＵＥは、非周期的なＣＳＩトリガーシグナリングに含まれる長さが２ビットのＣＳＩパイロットリソース設定指示情報に基づき、ＣＳＩフィードバック設定グループ中の４つのＣＳＩ測定パイロットリソース設定から、基地局により指定されたＣＳＩ測定パイロットリソース設定を決定する。
【０１５６】
ステップ３、ＵＥは、コードブック指示情報に基づき、コードブックの生成マトリクスを決定し、予め約定したコードブック生成方式及び当該生成マトリクスに基づき、コードブックを生成する。
【０１５７】
ステップ４、ＵＥは、基地局により指定されたＣＳＩ測定パイロットリソース設定及びＣＳＩフィードバック設定グループにおける干渉測定リソース設定により、ＣＳＩ測定を行い、ＣＳＩ測定には、ステップにおいて得られたコードブックを用いる。
【０１５８】
ステップ５、ＵＥは測定し得たＣＳＩを基地局に報告する。
【０１５９】
同様な発明思想に基づいて、本発明に係る実施例は、端末をさらに提供する。当該端末の具体的な実施は前述した方法の実施例部分の説明を参照すればよく、重複のところ、繰り返して説明しない。図８に示すように、当該端末は、基地局により指示されたチャネル状態情報ＣＳＩフィードバック設定グループ及び前記ＣＳＩフィードバック設定グループに基づいてＣＳＩフィードバックを行う設定情報を受信する受信モジュール８０１と、前記ＣＳＩフィードバック設定グループ及び前記設定情報に基づいてＣＳＩ測定及びフィードバックを行う処理モジュール８０２とを備える。
【０１６０】
前記ＣＳＩフィードバック設定グループには少なくとも１つのＣＳＩフィードバック設定が含まれ、前記ＣＳＩフィードバック設定は、ダウンリンクＣＳＩ測定及びフィードバックのためのダウンリンク信号の設定である。
【０１６１】
前記ＣＳＩフィードバック設定は、ＣＳＩプロセス、ＮＺＰのＣＳＩ測定パイロットリソース設定、または、干渉測定リソース設定である。
【０１６２】
前記設定情報には、以下のいずれか１つまたは任意の組み合わせが含まれる：
*  伝送方式指示情報。前記伝送方式は、ビームフォーミングＣＳＩ測定パイロット伝送方式、または、非プリコーディングＣＳＩ測定パイロット伝送方式である。
*  ＣＳＩフィードバック方式指示情報。前記ＣＳＩフィードバック方式は、前記ＣＳＩフィードバック設定グループ中のＣＳＩフィードバック設定に対応する全部のＣＳＩをフィードバックするか、または、前記ＣＳＩフィードバック設定グループ中の最適のＣＳＩフィードバック設定の位置情報及び対応のＣＳＩをフィードバックする。
*  物理アップリンク制御チャネル（ＰＵＣＣＨ）によりフィードバックするダウンリンクチャネル情報内容の指示情報。
*  物理アップリンク共有チャネル（ＰＵＳＣＨ）によりフィードバックするダウンリン
クチャネル情報内容の指示情報。
*  ＣＳＩ計算に用いられるコードブックのコードブック指示情報。
*  コードブックサブ集合制約指示。ＣＳＩ計算に用いられる約定されたコードブックにおける目下に利用可能のコードワードを示す。
【０１６３】
前記ＰＵＣＣＨによりフィードバックするダウンリンクチャネル情報内容の指示情報は、
ＰＵＣＣＨにより、前記ＣＳＩフィードバック設定グループ中の最適のＣＳＩフィードバック設定の位置情報及び対応のＣＳＩをフィードバックする第１指示情報、または、
前記ＰＵＣＣＨにより、前記ＣＳＩフィードバック設定グループ中の前記基地局により指定されたＣＳＩフィードバック設定の位置情報及び対応のＣＳＩをフィードバックする第２指示情報、または、
前記ＰＵＣＣＨにより、前記ＣＳＩフィードバック設定グループ中の各々ＣＳＩフィードバック設定の位置情報及び対応のＣＳＩをフィードバックする第３指示情報である。
【０１６４】
前記ＰＵＳＣＨによりフィードバックするダウンリンクチャネル情報内容の指示情報は、
ＰＵＳＣＨにより、前記ＣＳＩフィードバック設定グループ中の最適のＣＳＩフィードバック設定の位置情報及び対応のＰＵＳＣＨのＣＳＩをフィードバック第１指示情報、または、
ＰＵＳＣＨにより、前記ＣＳＩフィードバック設定グループ中の最適のＣＳＩフィードバック設定の位置情報をフィードバックする第２指示情報、または、
ＰＵＳＣＨにより、最新の報告された位置情報に対応するＣＳＩフィードバック設定グループ中の前記ＣＳＩフィードバック設定に対応するＣＳＩをフィードバックする第３指示情報、または、
ＰＵＳＣＨにより、前記ＣＳＩフィードバック設定グループ中の前記基地局により指定されたＣＳＩフィードバック設定に対応するＣＳＩをフィードバックする第４指示情報、または、
ＰＵＳＣＨにより、前記ＣＳＩフィードバック設定グループ中の各々ＣＳＩフィードバック設定のＣＳＩをフィードバックする第５指示情報である。
【０１６５】
実施の場合、前記処理モジュールは、前記設定情報に前記伝送方式指示情報が含まれ、かつ、前記伝送方式指示情報により示されたのがビームフォーミングＣＳＩ測定パイロット伝送方式であると判断すれば、前記ＣＳＩフィードバック設定グループ中の最適のＣＳＩフィードバック設定の位置情報及び対応のＣＳＩを報告する。
【０１６６】
前記設定情報に前記伝送方式指示情報が含まれ、かつ、前記伝送方式指示情報により示されたのがビームフォーミングＣＳＩ測定パイロット伝送方式であると判断すれば、前記ＣＳＩフィードバック設定グループ中の各々ＣＳＩフィードバック設定に対応するＣＳＩを報告する。
【０１６７】
実施の場合、前記伝送方式指示情報は、基地局により設定されたＣＳＩフィードバック設定に含まれるＣＳＩフィードバック設定の数をさらに示し、具体的に、前記受信モジュールは、前記設定情報に前記伝送方式指示情報が含まれば、前記伝送方式指示情報により示された伝送方式に対応するＣＳＩフィードバック設定の数を決定し、前記数に基づいて、前記基地局により指示された前記ＣＳＩフィードバック設定の指示情報を受信する。
【０１６８】
実施の場合、前記処理モジュールは、前記設定情報にＣＳＩフィードバック方式指示情報が含まれば、前記ＣＳＩフィードバック方式指示情報に基づいて各々ＣＳＩフィードバック設定に対応するＣＳＩを報告し、または、前記ＣＳＩフィードバック方式指示情報に基づいて、最適のＣＳＩフィードバック設定の位置情報及び対応のＣＳＩを報告する。
【０１６９】
実施の場合、前記処理モジュールは、前記設定情報に前記ＰＵＣＣＨによりフィードバックするダウンリンクチャネル情報内容の指示情報が含まれ、前記ＰＵＣＣＨによりフィードバックするダウンリンクチャネル情報内容の指示情報が第１指示情報であると判断すれば、ＰＵＣＣＨにより、前記ＣＳＩフィードバック設定グループ中の最適のＣＳＩフィードバック設定の位置情報及び対応のＣＳＩを報告する。
【０１７０】
また、前記ＰＵＣＣＨによりフィードバックするダウンリンクチャネル情報内容の指示情報が第２指示情報であると判断すれば、ＰＵＣＣＨにより、前記ＣＳＩフィードバック設定グループ中の前記基地局により指定されたＣＳＩフィードバック設定の位置情報及び対応のＣＳＩを報告する。
【０１７１】
また、前記ＰＵＣＣＨによりフィードバックするダウンリンクチャネル情報内容の指示情報が第３指示情報であると判断すれば、ＰＵＣＣＨにより、前記ＣＳＩフィードバック設定グループ中の各々ＣＳＩフィードバック設定の位置情報及び対応のＣＳＩを報告する。
【０１７２】
実施の場合、前記処理モジュールは、前記設定情報に前記ＰＵＳＣＨによりフィードバックするダウンリンクチャネル情報内容の指示情報が含まれ、前記ＰＵＳＣＨによりフィードバックするダウンリンクチャネル情報内容の指示情報が第１指示情報であると判断すれば、ＰＵＳＣＨにより、前記ＣＳＩフィードバック設定グループ中の最適のＣＳＩフィードバック設定の位置情報及び対応のＣＳＩを報告する。
【０１７３】
また、前記ＰＵＳＣＨによりフィードバックするダウンリンクチャネル情報内容の指示情報が第２指示情報であると判断すれば、ＰＵＳＣＨにより、前記ＣＳＩフィードバック設定グループ中の最適のＣＳＩフィードバック設定の位置情報を報告する。
【０１７４】
また、前記ＰＵＳＣＨによりフィードバックするダウンリンクチャネル情報内容の指示情報が第３指示情報であると判断すれば、ＰＵＳＣＨにより、最新の報告された位置情報の前記ＣＳＩフィードバック設定グループにおける対応のＣＳＩフィードバック設定に対応するＣＳＩを報告する。
【０１７５】
また、前記ＰＵＳＣＨによりフィードバックするダウンリンクチャネル情報内容の指示情報が第４指示情報であると判断すれば、ＰＵＳＣＨにより、前記ＣＳＩフィードバック設定グループ中の前記基地局により指定されたＣＳＩフィードバック設定に対応するＣＳＩを報告する。
【０１７６】
また、前記ＰＵＳＣＨによりフィードバックするダウンリンクチャネル情報内容の指示情報が第５指示情報であると判断すれば、ＰＵＳＣＨにより、前記ＣＳＩフィードバック設定グループ中の各々ＣＳＩフィードバック設定に対応するＣＳＩを報告する。
【０１７７】
実施の場合、前記処理モジュールは、前記設定情報に前記コードブック指示情報が含まれば、前記コードブック指示情報に基づいてＣＳＩ測定においてＣＳＩ計算に用いられるコードブックを決定する。
【０１７８】
具体的に、前記処理モジュールは、
プリセットしたコードブック集合中の、前記コードブック指示情報をインデックスとするコードブックを決定し、決定したコードブックを前記ＣＳＩ計算に用いられるコードブックとする。
【０１７９】
または、前記コードブック指示情報内の各ビットの値に基づいてプリセットしたコードブックのサブ集合を決定し、決定したサブ集合を前記ＣＳＩ計算に用いられるコードブックとし、前記コードブック指示情報内の各个ビットは、前記プリセットしたコードブック内の１つのコードワードに対応する。
【０１８０】
または、コードブック指示情報に基づいてターゲットコードブックの生成マトリクスを取得し、前記生成マトリクス及びプリセットしたコードブックに基づいて、ターゲットコードブックを決定し、前記ターゲットコードブックを前記ＣＳＩ計算に用いられるコードブックとする。
【０１８１】
または、コードブック指示情報に基づいてターゲットコードブックの生成パラメータを取得し、前記コードブック生成パラメータ及びプリセットした規則に基づいて、ターゲットコードブックを生成する。
【０１８２】
実施の場合、前記処理モジュールは、前記設定情報に前記コードブックサブ集合制約指示が含まれば、前記コードブックサブ集合制約指示に基づいてＣＳＩ計算に用いられる約定されたコードブックにおける目下に利用可能のコードワードを決定する。
【０１８３】
同様な発明思想に基づいて、本発明に係る実施例は、端末をさらに提供し、当該端末の具体的な実施は、前記方法実施例部分の説明を参照すればよく、繰り返して説明しない。図９に示すように、当該端末は、プロセッサ９０１と、メモリ９０２と、送受信機９０３とを備える。送受信機は、プロセッサの制御により、データを送受信し、メモリにはプリセットしたプログラムが格納されている。
【０１８４】
プロセッサは、メモリからプログラムを読み出して、送受信機９０３を介して、基地局により指示されたチャネル状態情報ＣＳＩフィードバック設定グループ及び前記ＣＳＩフィードバック設定グループに基づいてＣＳＩフィードバックを行う設定情報を受信し、
前記ＣＳＩフィードバック設定グループ及び前記設定情報に基づいてＣＳＩ測定及びフィードバックを行う。
【０１８５】
ここで、前記ＣＳＩフィードバック設定グループには少なくとも１つのＣＳＩフィードバック設定が含まれ、前記ＣＳＩフィードバック設定は、ダウンリンクＣＳＩ測定及びフィードバックのためのダウンリンク信号の設定である。
【０１８６】
前記ＣＳＩフィードバック設定は、ＣＳＩプロセス、ＮＺＰのＣＳＩ測定パイロットリソース設定、または、干渉測定リソース設定である。
【０１８７】
前記設定情報には、以下のいずれか１つまたは任意の組み合わせが含まれる：
*  伝送方式指示情報。前記伝送方式は、ビームフォーミングＣＳＩ測定パイロット伝送方式、または、非プリコーディングＣＳＩ測定パイロット伝送方式である。
*  ＣＳＩフィードバック方式指示情報。前記ＣＳＩフィードバック方式は、前記ＣＳＩフィードバック設定グループ中のＣＳＩフィードバック設定に対応する全部のＣＳＩをフィードバックするか、または、前記ＣＳＩフィードバック設定グループ中の最適のＣＳＩフィードバック設定の位置情報及び対応のＣＳＩをフィードバックする。
*  物理アップリンク制御チャネル（ＰＵＣＣＨ）によりフィードバックするダウンリンクチャネル情報内容の指示情報。
*  物理アップリンク共有チャネル（ＰＵＳＣＨ）によりフィードバックするダウンリンクチャネル情報内容の指示情報。
*  ＣＳＩ計算に用いられるコードブックのコードブック指示情報。
*  コードブックサブ集合制約指示。ＣＳＩ計算に用いられる約定されたコードブックにおける目下に利用可能のコードワードを示す。
【０１８８】
前記ＰＵＣＣＨによりフィードバックするダウンリンクチャネル情報内容の指示情報は、
ＰＵＣＣＨにより、前記ＣＳＩフィードバック設定グループ中の最適のＣＳＩフィードバック設定の位置情報及び対応のＣＳＩをフィードバックする第１指示情報、または、
前記ＰＵＣＣＨにより、前記ＣＳＩフィードバック設定グループ中の前記基地局により指定されたＣＳＩフィードバック設定の位置情報及び対応のＣＳＩをフィードバックする第２指示情報、または、
前記ＰＵＣＣＨにより、前記ＣＳＩフィードバック設定グループ中の各々ＣＳＩフィードバック設定の位置情報及び対応のＣＳＩをフィードバックする第３指示情報である。
【０１８９】
其中，前記ＰＵＳＣＨによりフィードバックするダウンリンクチャネル情報内容の指示情報は、
ＰＵＳＣＨにより、前記ＣＳＩフィードバック設定グループ中の最適のＣＳＩフィードバック設定の位置情報及び対応のＰＵＳＣＨのＣＳＩをフィードバック第１指示情報、または、
ＰＵＳＣＨにより、前記ＣＳＩフィードバック設定グループ中の最適のＣＳＩフィードバック設定の位置情報をフィードバックする第２指示情報、または、
ＰＵＳＣＨにより、最新の報告された位置情報に対応するＣＳＩフィードバック設定グループ中の前記ＣＳＩフィードバック設定に対応するＣＳＩをフィードバックする第３指示情報、または、
ＰＵＳＣＨにより、前記ＣＳＩフィードバック設定グループ中の前記基地局により指定されたＣＳＩフィードバック設定に対応するＣＳＩをフィードバックする第４指示情報、または、
ＰＵＳＣＨにより、前記ＣＳＩフィードバック設定グループ中の各々ＣＳＩフィードバック設定のＣＳＩをフィードバックする第５指示情報である。
【０１９０】
実施の場合、前記設定情報に前記伝送方式指示情報が含まれば、プロセッサは、前記伝送方式指示情報により示されたのがビームフォーミングＣＳＩ測定パイロット伝送方式であると判断すれば、前記ＣＳＩフィードバック設定グループ中の最適のＣＳＩフィードバック設定の位置情報及び対応のＣＳＩを報告し、前記伝送方式指示情報により示されたのが非プリコーディングＣＳＩ測定パイロット伝送方式であると判断すれば、前記ＣＳＩフィードバック設定グループ中の各々ＣＳＩフィードバック設定に対応するＣＳＩを報告する。
【０１９１】
実施の場合、前記伝送方式指示情報は、基地局により設定されたＣＳＩフィードバック設定に含まれるＣＳＩフィードバック設定の数をさらに示し、具体的に、前記設定情報に前記伝送方式指示情報が含まれば、プロセッサは、前記伝送方式指示情報により示された伝送方式に対応するＣＳＩフィードバック設定の数を決定し、前記数に基づいて、前記基地局により指示された前記ＣＳＩフィードバック設定の指示情報を受信するように、送受信機を指示する。
【０１９２】
実施の場合、前記設定情報にＣＳＩフィードバック方式指示情報が含まれば、プロセッサは、前記ＣＳＩフィードバック方式指示情報に基づき、送受信機を介して、各々ＣＳＩフィードバック設定に対応するＣＳＩを報告し、または、前記ＣＳＩフィードバック方式指示情報に基づき、送受信機を介して最適のＣＳＩフィードバック設定の位置情報及び対応のＣＳＩを報告する。
【０１９３】
実施の場合、前記設定情報に前記ＰＵＣＣＨによりフィードバックするダウンリンクチャネル情報内容の指示情報が含まれば、プロセッサは、前記ＰＵＣＣＨによりフィードバックするダウンリンクチャネル情報内容の指示情報が第１指示情報であると判断する場合、ＰＵＣＣＨにより、前記ＣＳＩフィードバック設定グループ中の最適のＣＳＩフィードバック設定の位置情報及び対応のＣＳＩを報告するように、送受信機を指示し、
前記ＰＵＣＣＨによりフィードバックするダウンリンクチャネル情報内容の指示情報が第２指示情報であると判断すれば、ＰＵＣＣＨにより、前記ＣＳＩフィードバック設定グループ中の前記基地局により指定されたＣＳＩフィードバック設定の位置情報及び対応のＣＳＩを報告するように、送受信機を指示し、
前記ＰＵＣＣＨによりフィードバックするダウンリンクチャネル情報内容の指示情報が第３指示情報であると判断すれば、指示送受信機ＰＵＣＣＨにより、前記ＣＳＩフィードバック設定グループ中の各々ＣＳＩフィードバック設定の位置情報及び対応のＣＳＩを報告する。
【０１９４】
実施の場合、前記設定情報に前記ＰＵＳＣＨによりフィードバックするダウンリンクチャネル情報内容の指示情報が含まれば、プロセッサは、前記ＰＵＳＣＨによりフィードバックするダウンリンクチャネル情報内容の指示情報が第１指示情報であると判断する場合、ＰＵＳＣＨにより、前記ＣＳＩフィードバック設定グループ中の最適のＣＳＩフィードバック設定の位置情報及び対応のＣＳＩを報告するように、送受信機を指示し、
前記ＰＵＳＣＨによりフィードバックするダウンリンクチャネル情報内容の指示情報が第２指示情報であると判断すれば、ＰＵＳＣＨにより、前記ＣＳＩフィードバック設定グループ中の最適のＣＳＩフィードバック設定の位置情報を報告するように、送受信機を指示し、
前記ＰＵＳＣＨによりフィードバックするダウンリンクチャネル情報内容の指示情報が第３指示情報であると判断すれば、ＰＵＳＣＨにより、最新の報告された位置情報の前記ＣＳＩフィードバック設定グループにおける対応のＣＳＩフィードバック設定に対応するＣＳＩを報告するように、送受信機を指示し、
前記ＰＵＳＣＨによりフィードバックするダウンリンクチャネル情報内容の指示情報が第４指示情報であると判断すれば、ＰＵＳＣＨにより、前記ＣＳＩフィードバック設定グループ中の前記基地局により指定されたＣＳＩフィードバック設定に対応するＣＳＩを報告するように、送受信機を指示し、
前記ＰＵＳＣＨによりフィードバックするダウンリンクチャネル情報内容の指示情報が第５指示情報であると判断すれば、ＰＵＳＣＨにより、前記ＣＳＩフィードバック設定グループ中の各々ＣＳＩフィードバック設定に対応するＣＳＩを報告するように、送受信機を指示する。
【０１９５】
実施の場合、前記設定情報に前記コードブック指示情報が含まれば、プロセッサは、前記コードブック指示情報に基づいてＣＳＩ測定においてＣＳＩ計算に用いられるコードブックを決定する。
【０１９６】
具体的に、プロセッサプリセットしたコードブック集合中の、前記コードブック指示情報をインデックスとするコードブックを決定し、決定したコードブックを前記ＣＳＩ計算に用いられるコードブックとする。
【０１９７】
または、プロセッサは、前記コードブック指示情報内の各ビットの値に基づいてプリセットしたコードブックのサブ集合を決定し、決定したサブ集合を前記ＣＳＩ計算に用いられるコードブックとし、其中，前記コードブック指示情報内の各个ビットは、前記プリセットしたコードブック内の１つのコードワードに対応する。
【０１９８】
または、プロセッサは、コードブック指示情報に基づいてターゲットコードブックの生成マトリクスを取得し、前記生成マトリクス及びプリセットしたコードブックに基づいて、ターゲットコードブックを決定し、前記ターゲットコードブックを前記ＣＳＩ計算に用いられるコードブックとする。
【０１９９】
または、プロセッサは、コードブック指示情報に基づいてターゲットコードブックの生成パラメータを取得し、前記コードブック生成パラメータ及びプリセットした規則に基づいて、ターゲットコードブックを生成する。
【０２００】
実施の場合、前記設定情報に前記コードブックサブ集合制約指示が含まれば、プロセッサは、前記コードブックサブ集合制約指示に基づいてＣＳＩ計算に用いられる約定されたコードブックにおける目下に利用可能のコードワードを決定する。
【０２０１】
バスアーキテクチャは、いずれ数の相互接続するバス及びブリッジを備える。具体的に、プロセッサが代表となる１つまたは複数のプロセッサ及びメモリが代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機は、複数の部品であることができ、即ち、送信機及び受信機を備え、伝送媒体を介して他の装置と通信するユニットを提供する。プロセッサは、バスアーキテクチャ及び通常の処理を監視し、メモリは、プロセッサが動作する際に利用するデータを記憶することができる。
【０２０２】
同様な発明思想に基づいて、本発明に係る実施例は基地局をさらに提供し、当該基地局の具体的な実施は、上記方法の実施例部分の説明を参照すればよく、繰り返して説明しない。図１０に示すように、当該基地局は、端末にチャネル状態情報ＣＳＩフィードバック設定グループ及び前記ＣＳＩフィードバック設定グループに基づいてＣＳＩフィードバックを行う設定情報を送信する送信モジュール１００１と、前記端末が前記ＣＳＩフィードバック設定グループ及び前記設定情報に基づいてフィードバックした情報を受信する受信モジュール１００２とを備える。
【０２０３】
前記ＣＳＩフィードバック設定グループには少なくとも１つのＣＳＩフィードバック設定が含まれ、前記ＣＳＩフィードバック設定は、ダウンリンクＣＳＩ測定及びフィードバックのためのダウンリンク信号の設定である。
【０２０４】
前記ＣＳＩフィードバック設定グループには少なくとも１つのＣＳＩフィードバック設定が含まれ、前記ＣＳＩフィードバック設定は、ダウンリンクＣＳＩ測定及びフィードバックのためのダウンリンク信号の設定である。
【０２０５】
ＣＳＩフィードバック設定は、ＣＳＩプロセス、ＮＺＰのＣＳＩ測定パイロットリソース設定、または、干渉測定リソース設定である。ＣＳＩフィードバック設定グループは、上記３種のＣＳＩフィードバック設定の任意の組み合わせであることができる。例えば、ＣＳＩフィードバック設定グループには複数のＮＺＰのＣＳＩ測定パイロットリソース設定と、１つの干渉測定リソース設定とが含まれる。
【０２０６】
１つのＣＳＩプロセスは、１つＮＺＰのＣＳＩ測定パイロットリソース設定和１つの干渉測定リソース設定に対応する。
【０２０７】
前記設定情報には、以下のいずれか１つまたは任意の組み合わせが含まれる：
*  伝送方式指示情報。前記伝送方式は、ビームフォーミングＣＳＩ測定パイロット伝送方式、または、非プリコーディングＣＳＩ測定パイロット伝送方式である。
*  ＣＳＩフィードバック方式指示情報。前記ＣＳＩフィードバック方式は、前記ＣＳＩフィードバック設定グループ中のＣＳＩフィードバック設定に対応する全部のＣＳＩをフィードバックするか、または、前記ＣＳＩフィードバック設定グループ中の最適のＣＳＩフィードバック設定の位置情報及び対応のＣＳＩをフィードバックする。
*  物理アップリンク制御チャネル（ＰＵＣＣＨ）によりフィードバックするダウンリンクチャネル情報内容の指示情報。
*  物理アップリンク共有チャネル（ＰＵＳＣＨ）によりフィードバックするダウンリンクチャネル情報内容の指示情報。
*  ＣＳＩ計算に用いられるコードブックのコードブック指示情報。
*  コードブックサブ集合制約指示。ＣＳＩ計算に用いられる約定されたコードブックにおける目下に利用可能のコードワードを示す。
【０２０８】
前記ＰＵＣＣＨによりフィードバックするダウンリンクチャネル情報内容の指示情報は、
ＰＵＣＣＨにより、前記ＣＳＩフィードバック設定グループ中の最適のＣＳＩフィードバック設定の位置情報及び対応のＣＳＩをフィードバックする第１指示情報、または、
前記ＰＵＣＣＨにより、前記ＣＳＩフィードバック設定グループ中の前記基地局により指定されたＣＳＩフィードバック設定の位置情報及び対応のＣＳＩをフィードバックする第２指示情報、または、
前記ＰＵＣＣＨにより、前記ＣＳＩフィードバック設定グループ中の各々ＣＳＩフィードバック設定の位置情報及び対応のＣＳＩをフィードバックする第３指示情報である。
【０２０９】
其中，前記ＰＵＳＣＨによりフィードバックするダウンリンクチャネル情報内容の指示情報は、
ＰＵＳＣＨにより、前記ＣＳＩフィードバック設定グループ中の最適のＣＳＩフィードバック設定の位置情報及び対応のＰＵＳＣＨのＣＳＩをフィードバック第１指示情報、または、
ＰＵＳＣＨにより、前記ＣＳＩフィードバック設定グループ中の最適のＣＳＩフィードバック設定の位置情報をフィードバックする第２指示情報、または、
ＰＵＳＣＨにより、最新の報告された位置情報に対応するＣＳＩフィードバック設定グループ中の前記ＣＳＩフィードバック設定に対応するＣＳＩをフィードバックする第３指示情報、または、
ＰＵＳＣＨにより、前記ＣＳＩフィードバック設定グループ中の前記基地局により指定されたＣＳＩフィードバック設定に対応するＣＳＩをフィードバックする第４指示情報、または、
ＰＵＳＣＨにより、前記ＣＳＩフィードバック設定グループ中の各々ＣＳＩフィードバック設定のＣＳＩをフィードバックする第５指示情報である。
【０２１０】
実施の場合、受信モジュールが、端末が前記ＣＳＩフィードバック設定グループ及び前記設定情報に基づいてフィードバックした情報を受信することは、具体的に、端末が前記ＣＳＩフィードバック設定グループ及び前記設定情報に基づいて報告する部分の内容を参照することができる。
【０２１１】
実施の場合、前記設定情報に前記伝送方式指示情報が含まれ、かつ、前記伝送方式指示情報により示されたのがビームフォーミングＣＳＩ測定パイロット伝送方式であると判断する場合、受信モジュールは、端末により報告された前記ＣＳＩフィードバック設定グループ中の最適のＣＳＩフィードバック設定の位置情報及び対応のＣＳＩを受信する。
【０２１２】
前記設定情報に前記伝送方式指示情報が含まれ、かつ、前記伝送方式指示情報により示されたのが非プリコーディングＣＳＩ測定パイロット伝送方式であると判断する場合、受信モジュールは、端末により報告された前記ＣＳＩフィードバック設定グループ中の各々ＣＳＩフィードバック設定に対応するＣＳＩを受信する。
【０２１３】
実施の場合、前記設定情報にＣＳＩフィードバック方式指示情報が含まれば、受信モジュールは、端末が前記ＣＳＩフィードバック方式指示情報に基づいて報告した前記ＣＳＩフィードバック設定グループ中の各々ＣＳＩフィードバック設定に対応するＣＳＩを受信し、または、端末が前記ＣＳＩフィードバック方式指示情報に基づいて報告した前記ＣＳＩフィードバック設定グループ中の最適のＣＳＩフィードバック設定の位置情報及び対応のＣＳＩ受信する。
【０２１４】
実施の場合、前記設定情報に前記ＰＵＣＣＨによりフィードバックするダウンリンクチャネル情報内容の指示情報が含まれば、第１指示情報である場合、受信モジュールは、端末がＰＵＣＣＨにより報告した前記ＣＳＩフィードバック設定グループ中の最適のＣＳＩフィードバック設定の位置情報及び対応のＣＳＩを受信し、第２指示情報である場合、受信モジュールは、端末がＰＵＣＣＨにより報告した前記ＣＳＩフィードバック設定グループ中の前記基地局により指定されたＣＳＩフィードバック設定の位置情報及び対応のＣＳＩを受信し、第３指示情報である場合、受信モジュールは、端末がＰＵＣＣＨにより報告した前記ＣＳＩフィードバック設定グループ中の各々ＣＳＩフィードバック設定の位置情報及び対応のＣＳＩを受信する。
【０２１５】
実施の場合、前記設定情報に前記ＰＵＳＣＨによりフィードバックするダウンリンクチャネル情報内容の指示情報が含まれば、第１指示情報である場合、受信モジュールは、端末がＰＵＳＣＨにより報告した前記ＣＳＩフィードバック設定グループ中の最適のＣＳＩフィードバック設定の位置情報及び対応のＣＳＩを受信し、第２指示情報である場合、受信モジュールは、端末がＰＵＳＣＨにより報告した前記ＣＳＩフィードバック設定グループ中の最適のＣＳＩフィードバック設定の位置情報を受信し、第３指示情報である場合、受信モジュールは、端末がＰＵＳＣＨにより報告した、最新の報告された位置情報の前記ＣＳＩフィードバック設定グループにおける対応のＣＳＩフィードバック設定に対応するＣＳＩを受信し、第４指示情報であれば、受信モジュールは、端末がＰＵＳＣＨにより報告した前記ＣＳＩフィードバック設定グループ中の前記基地局により指定されたＣＳＩフィードバック設定に対応するＣＳＩを受信し、第５指示情報である場合、受信モジュールは、端末がＰＵＳＣＨにより報告した、前記ＣＳＩフィードバック設定グループ中の各々ＣＳＩフィードバック設定に対応するＣＳＩを受信する。
【０２１６】
同様な発明思想に基づいて、本発明に係る実施例において、図１１に示すように、当該基地局の具体的な実施は、上記方法の実施例部分の説明を参照すればよく、繰り返して説明しない。当該基地局は、主にプロセッサ１１０１と、メモリ１１０２と、送受信機１１０３とを備える。送受信機は、プロセッサの制御により、データを送受信し、メモリにはプリセットしたプログラムが格納されており、プロセッサは、メモリからプログラムを読み出して、送受信機を介して、端末にチャネル状態情報ＣＳＩフィードバック設定グループ及び前記ＣＳＩフィードバック設定グループに基づいてＣＳＩフィードバックを行う設定情報を送信し、
送受信機を介して、前記端末が前記ＣＳＩフィードバック設定グループ及び前記設定情報に基づいてフィードバックした情報を受信する。
【０２１７】
ここで、前記ＣＳＩフィードバック設定グループには少なくとも１つのＣＳＩフィードバック設定が含まれ、前記ＣＳＩフィードバック設定は、ダウンリンクＣＳＩ測定及びフィードバックのためのダウンリンク信号の設定である。
【０２１８】
前記ＣＳＩフィードバック設定グループには少なくとも１つのＣＳＩフィードバック設定が含まれ、前記ＣＳＩフィードバック設定は、ダウンリンクＣＳＩ測定及びフィードバックのためのダウンリンク信号の設定である。
【０２１９】
ＣＳＩフィードバック設定は、ＣＳＩプロセス、ＮＺＰのＣＳＩ測定パイロットリソース設定、または、干渉測定リソース設定である。ＣＳＩフィードバック設定グループは、上記３種のＣＳＩフィードバック設定の任意の組み合わせであることができる。例えば、ＣＳＩフィードバック設定グループには複数のＮＺＰのＣＳＩ測定パイロットリソース設定と、１つの干渉測定リソース設定とが含まれる。
【０２２０】
１つのＣＳＩプロセスは、１つＮＺＰのＣＳＩ測定パイロットリソース設定和１つの干渉測定リソース設定に対応する。
【０２２１】
前記設定情報には、以下のいずれか１つまたは任意の組み合わせが含まれる：
*  伝送方式指示情報。前記伝送方式は、ビームフォーミングＣＳＩ測定パイロット伝送方式、または、非プリコーディングＣＳＩ測定パイロット伝送方式である。
*  ＣＳＩフィードバック方式指示情報。前記ＣＳＩフィードバック方式は、前記ＣＳＩフィードバック設定グループ中のＣＳＩフィードバック設定に対応する全部のＣＳＩをフィードバックするか、または、前記ＣＳＩフィードバック設定グループ中の最適のＣＳＩフィードバック設定の位置情報及び対応のＣＳＩをフィードバックする。
*  物理アップリンク制御チャネル（ＰＵＣＣＨ）によりフィードバックするダウンリンクチャネル情報内容の指示情報。
*  物理アップリンク共有チャネル（ＰＵＳＣＨ）によりフィードバックするダウンリンクチャネル情報内容の指示情報。
*  ＣＳＩ計算に用いられるコードブックのコードブック指示情報。
*  コードブックサブ集合制約指示。ＣＳＩ計算に用いられる約定されたコードブックにおける目下に利用可能のコードワードを示す。
【０２２２】
前記ＰＵＣＣＨによりフィードバックするダウンリンクチャネル情報内容の指示情報は、
ＰＵＣＣＨにより、前記ＣＳＩフィードバック設定グループ中の最適のＣＳＩフィードバック設定の位置情報及び対応のＣＳＩをフィードバックする第１指示情報、または、
前記ＰＵＣＣＨにより、前記ＣＳＩフィードバック設定グループ中の前記基地局により指定されたＣＳＩフィードバック設定の位置情報及び対応のＣＳＩをフィードバックする第２指示情報、または、
前記ＰＵＣＣＨにより、前記ＣＳＩフィードバック設定グループ中の各々ＣＳＩフィードバック設定の位置情報及び対応のＣＳＩをフィードバックする第３指示情報である。
【０２２３】
前記ＰＵＳＣＨによりフィードバックするダウンリンクチャネル情報内容の指示情報は、
ＰＵＳＣＨにより、前記ＣＳＩフィードバック設定グループ中の最適のＣＳＩフィードバック設定の位置情報及び対応のＰＵＳＣＨのＣＳＩをフィードバック第１指示情報、または、
ＰＵＳＣＨにより、前記ＣＳＩフィードバック設定グループ中の最適のＣＳＩフィードバック設定の位置情報をフィードバックする第２指示情報、または、
ＰＵＳＣＨにより、最新の報告された位置情報に対応するＣＳＩフィードバック設定グループ中の前記ＣＳＩフィードバック設定に対応するＣＳＩをフィードバックする第３指示情報、または、
ＰＵＳＣＨにより、前記ＣＳＩフィードバック設定グループ中の前記基地局により指定されたＣＳＩフィードバック設定に対応するＣＳＩをフィードバックする第４指示情報、または、
ＰＵＳＣＨにより、前記ＣＳＩフィードバック設定グループ中の各々ＣＳＩフィードバック設定のＣＳＩをフィードバックする第５指示情報である。
【０２２４】
実施の場合、プロセッサ送受信機を介して、端末が前記ＣＳＩフィードバック設定グループ及び前記設定情報に基づいてフィードバックした情報を受信し、具体的に、端末が前記ＣＳＩフィードバック設定グループ及び前記設定情報に基づいて報告する部分の内容を参照すればよい。
【０２２５】
実施の場合、前記設定情報に前記伝送方式指示情報が含まれ、かつ、前記伝送方式指示情報により示されたのがビームフォーミングＣＳＩ測定パイロット伝送方式であると判断する場合、プロセッサは、送受信機を介して、端末により報告された前記ＣＳＩフィードバック設定グループ中の最適のＣＳＩフィードバック設定の位置情報及び対応のＣＳＩを受信する。
【０２２６】
前記設定情報に前記伝送方式指示情報が含まれ、かつ、前記伝送方式指示情報により示されたのが非プリコーディングＣＳＩ測定パイロット伝送方式であると判断する場合、プロセッサは、送受信機を介して、端末により報告された前記ＣＳＩフィードバック設定グループ中の各々ＣＳＩフィードバック設定に対応するＣＳＩを受信する。
【０２２７】
実施の場合、前記設定情報にＣＳＩフィードバック方式指示情報が含まれば、プロセッサは、送受信機を介して、端末が前記ＣＳＩフィードバック方式指示情報に基づいて報告した前記ＣＳＩフィードバック設定グループ中の各々ＣＳＩフィードバック設定に対応するＣＳＩを受信し、または、プロセッサは、送受信機を介して、端末が前記ＣＳＩフィードバック方式指示情報に基づいて報告した前記ＣＳＩフィードバック設定グループ中の最適のＣＳＩフィードバック設定の位置情報及び対応のＣＳＩを受信する。
【０２２８】
実施の場合、前記設定情報に前記ＰＵＣＣＨによりフィードバックするダウンリンクチャネル情報内容の指示情報が含まれば、第１指示情報である場合、プロセッサは、送受信機を介して、端末がＰＵＣＣＨにより報告した前記ＣＳＩフィードバック設定グループ中の最適のＣＳＩフィードバック設定の位置情報及び対応のＣＳＩを受信し、第２指示情報である場合、プロセッサは、送受信機を介して、端末がＰＵＣＣＨにより報告した前記ＣＳＩフィードバック設定グループ中の前記基地局により指定されたＣＳＩフィードバック設定の位置情報及び対応のＣＳＩを受信し、第３指示情報である場合、プロセッサは、送受信機を介して、端末がＰＵＣＣＨにより報告した前記ＣＳＩフィードバック設定グループ中の各々ＣＳＩフィードバック設定の位置情報及び対応のＣＳＩを受信する。
【０２２９】
実施の場合、前記設定情報に前記ＰＵＳＣＨによりフィードバックするダウンリンクチャネル情報内容の指示情報が含まれば、第１指示情報である場合、プロセッサは、送受信機を介して、端末がＰＵＳＣＨにより報告した前記ＣＳＩフィードバック設定グループ中の最適のＣＳＩフィードバック設定の位置情報及び対応のＣＳＩを受信する。第２指示情報である場合、プロセッサは、送受信機を介して、端末がＰＵＳＣＨにより報告した前記ＣＳＩフィードバック設定グループ中の最適のＣＳＩフィードバック設定の位置情報を受信する。第３指示情報である場合、プロセッサは、送受信機を介して、端末がＰＵＳＣＨにより報告した最新の報告された位置情報の前記ＣＳＩフィードバック設定グループにおける対応のＣＳＩフィードバック設定に対応するＣＳＩを受信し、第４指示情報であれば、プロセッサは、送受信機を介して、端末がＰＵＳＣＨにより報告した前記ＣＳＩフィードバック設定グループ中の前記基地局により指定されたＣＳＩフィードバック設定に対応するＣＳＩを受信する。第５指示情報である場合、プロセッサは、送受信機を介して、端末がＰＵＳＣＨにより報告した前記ＣＳＩフィードバック設定グループ中の各々ＣＳＩフィードバック設定に対応するＣＳＩを受信する。
【０２３０】
バスアーキテクチャは、いずれ数の相互接続するバス及びブリッジを備える。具体的に、プロセッサが代表となる１つまたは複数のプロセッサ及びメモリが代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機は、複数の部品であることができ、即ち、送信機及び受信機を備え、伝送媒体を介して他の装置と通信するユニットを提供する。プロセッサは、バスアーキテクチャ及び通常の処理を監視し、メモリ８２０は、プロセッサ８００が動作する際に利用するデータを記憶することができる。
【０２３１】
上述の技術案によれば、本発明に係る実施例において、基地局は、ＣＳＩフィードバック設定グループ及び前記ＣＳＩフィードバック設定グループに基づいてＣＳＩをフィードバックする設定情報を、端末に指示し、前記ＣＳＩフィードバック設定グループには少なくとも１つのＣＳＩフィードバック設定が含まれ、前記ＣＳＩフィードバック設定は、ダウンリンクＣＳＩ測定及びフィードバックに用いられ、端末は、前記ＣＳＩフィードバック設定グループ及び前記設定情報に基づいて、ＣＳＩ測定及びフィードバックを行い、こうして、基地局の設定に基づいてＣＳＩをフィードバックし、また、ＣＳＩフィードバック設定グループに含まれるＣＳＩフィードバック設定の差異及び対応の設定情報の差異に基づいて異なる情報内容をフィードバックすることにより、ＣＳＩ測定後に多様のＣＳＩ関連情報をフィードバックするシナリオをサポートすることができるようになり、ＣＳＩ関連情報のフィードバック方法の柔軟性を向上する。例えば、設定情報により、フォーミングＣＳＩ−ＲＳ伝送方式及び非プリコーディングＣＳＩ−ＲＳ伝送方式場合いのＣＳＩフィードバックをサポートすることができるようになった。
【０２３２】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭ（登録商標）またはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）であってもよいが、本発明をそれに限定しない。
【０２３３】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０２３４】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。  
【０２３５】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０２３６】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。  
【０２３７】
上述した実施形態に記述された技術的な解決手段を改造し、或いはその中の一部の技術要素を置換することもできる。そのような、改造と置換は本発明の各実施形態の技術の範囲から逸脱するとは見なされない。
【０２３８】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０２３９】
本出願は、２０５年７月３１日に中国特許局に提出し、出願番号が２０１５１０４６３５７６.６であり、発明名称が「ＦＤ ＭＩＭＯシステムチャネル状態情報のフィードバック方法及び関連装置」との中国特許出願を基礎とする優先権を主張し、その開示の総てをここに取り込む。
【符号の説明】
【０２４０】
８０１  受信モジュール
８０２  処理モジュール
９０１  プロセッサ
９０２  メモリ
９０３  送受信機
１００１  送信モジュール
１００２  受信モジュール
１１０１  プロセッサ
１１０２  メモリ
１１０３  送受信機
【図１】
0006511582.tif 000004
【図２】
0006511582.tif 000005
【図３】
0006511582.tif 000006
【図４】
0006511582.tif 000007
【図５】
0006511582.tif 000008
【図６】
0006511582.tif 000009
【図７】
0006511582.tif 000010
【図８】
0006511582.tif 000011
【図９】
0006511582.tif 000012
【図１０】
0006511582.tif 000013
【図１１】
0006511582.tif 000014